(57)【要約】【課題】電子機器およびアクセサリー機器の小型化を図ること。【解決手段】電子機器１００の電子機器側コネクタ１０は、一対の係止板２０と、ガイド溝１８と、空間部２２とを備えている。係止板２０の縁部に第１凹部２００２と、第１凸部２００４と、第２凹部２００６と、第２凸部２００８とが設けられている。第２凹部２００６と第２凸部２００８の下方に、アクセサリー機器２００のガイド溝１８の下方の位置決めを行なう中間面１２０７が設けられている。第１凸部２００４の下方に接片取り付け面１２０６が設けられ、接片取り付け面１２０６に複数の接片１６が設けられている。第１凹部２００２と第１凸部２００４の下方に、ガイド溝１８の幅方向におけるアクセサリー機器２００の位置決めを行なコネクタ側ガイド面２４が設けられている。【選択図】図２
2006079053.tif 000002
【特許請求の範囲】
【請求項１】
アクセサリー機器の取り付け部を取り付けるためのアクセサリー取り付け部を備える電子機器であって、
前記アクセサリー取り付け部は、互いに向かい合う一対の係止板と、前記一対の係止板の間に形成されたガイド溝と、前記一対の係止板の下方および前記ガイド溝の下方に臨むように設けられた空間部とを備え、
前記ガイド溝は、前記一対の係止板が向かい合う方向である幅と、前記幅と直交する長さを有し、
前記ガイド溝を構成する前記一対の係止板の各縁部には、前記ガイド溝の長さ方向に沿って第１凹部と、第１凸部と、第２凹部と、第２凸部とがこれらの順番でそれぞれ対向して設けられ、
前記一対の係止板の前記第２凹部と前記第２凸部で挟まれた前記ガイド溝の下方の前記空間部の底部を形成し前記ガイド溝の下方における前記アクセサリー機器の取り付け部の位置決めを行なうと共に前記アクセサリー機器の取り付け部を前記ガイド溝の長さ方向に案内する上部ガイド面が設けられ、
前記上部ガイド面よりも下方において前記一対の係止板の前記第１凸部で挟まれた前記ガイド溝の下方の前記空間部の底部を形成する接片取り付け面が設けられ、
前記接片取り付け面に、前記アクセサリー機器との電気接続用の複数の接片が前記ガイド溝の幅方向に並べられて設けられ、
前記一対の係止板の前記第１凹部と前記第１凸部の下方の前記空間部の前記ガイド溝の幅方向の両側に、前記ガイド溝の幅方向における前記アクセサリー機器の取り付け部の位置決めを行なうと共に前記アクセサリー機器の取り付け部を前記ガイド溝の長さ方向に案内する下部ガイド面が設けられている、
ことを特徴とする電子機器。
【請求項２】
前記上部ガイド面の前記接片取り付け面寄りの端部に、前記ガイド溝の長さ方向で前記第１凸部から第１凹部の方向に臨み前記アクセサリー機器の取り付け部の前記ガイド溝の長さ方向における位置決めを行なう位置決め面が設けられていることを特徴とする請求項１記載の電子機器。
【請求項３】
前記複数の接片は、前記上部ガイド面寄りの前記接片取り付け面箇所に設けられていることを特徴とする請求項１記載の電子機器。
【請求項４】
前記接片取り付け面を覆うカバーが設けられ、前記カバーは、前記上部ガイド面の下方に収納されて前記複数の接片を露出させる開放位置と、前記複数の接片を覆う閉塞位置との間で前記ガイド溝の長さ方向に移動可能に設けられ、前記カバーを前記閉塞位置に付勢するスプリングが設けられていることを特徴とする請求項１記載の電子機器。
【請求項５】
前記接片取り付け面の前記ガイド溝の幅方向両側の箇所に、前記ガイド溝の長さ方向に延在する凹部が設けられていることを特徴とする請求項１記載の電子機器。
【請求項６】
前記ガイド溝の長さ方向で前記位置決め面と反対に位置する前記接片取り付け面の端部に、前記ガイド溝の長さ方向で前記接片取り付け面から離れるにつれ次第に下方に至る傾斜面が形成されていることを特徴とする請求項１記載の電子機器。
【請求項７】
前記複数の接片はグラウンド用の接片を含み、前記グラウンド用の接片は他の接片よりも、前記ガイド溝の長さ方向で前記第１凸部から前記第１凹部に向かう方向に長く延在していることを特徴とする請求項１記載の電子機器。
【請求項８】
前記電子機器は筐体を有し、前記筐体に凹部が設けられ、前記アクセサリー取り付け部は前記凹部に設けられ、前記凹部を開閉する蓋が設けられていることを特徴とする請求項１記載の電子機器。
【請求項９】
前記電子機器は撮像装置であることを特徴とする請求項１記載の電子機器。
【請求項１０】
電子機器のアクセサリー取り付け部に取り付けるための取り付け部を有するアクセサリー機器であって、
前記アクセサリー機器の前記取り付け部は、前記アクセサリー機器の筐体から突出する軸部材を備え、
前記軸部材の中心軸に対して直交する２方向のうちの一方の方向が前記軸部材の幅方向であり、前記２方向のうちの他方の方向が前記軸部材の前後方向であり、
前記軸部材の幅方向における前記軸部材の両側面の先部に、前記前後方向に間隔をおいて第１係止片と第２係止片が突設されると共に、前記第１係止片と前記第２係止片の間に残存した前記軸部材の側面部分により凹部が設けられ、
前記両側面の先部の前記凹部と前記第２係止片が設けられた前記軸部材の部分の前記軸部材の長さ方向で前記筐体から離れる方向である前記軸部材の先方の箇所に、前記軸部材の長さ方向と直交する面上を延在し前記電子機器の前記アクセサリー取り付け部に対して前記軸部材の長さ方向の位置決めを行なうと共に前記アクセサリー取り付け部に対して前記軸部材が前記前後方向にガイドされる上部ガイド面が設けられ、
前記両側面の先部の前記第１係止片が設けられた前記軸部材の部分の前記軸部材の先方の箇所に、前記上部ガイド面よりも前記軸部材の長さ方向の先方に位置して前記上部ガイド面に平行する接片取り付け面が設けられ、
前記接片取り付け面に、前記電子機器との電気接続用の複数の接片が前記幅方向に並べられて設けられ、
前記接片取り付け面の前記幅方向の両側の箇所に、前記電子機器の前記アクセサリー取り付け部に対して前記軸部材の前記幅方向の位置決めを行なうと共に前記アクセサリー取り付け部に対して前記軸部材が前記前後方向にガイドされる下部ガイド面が設けられている、
ことを特徴とするアクセサリー機器。
【請求項１１】
前記上部ガイド面と前記接片取り付け面との境の箇所に、前記前後方向で前記接片取り付け面から前記上部ガイド面方向に臨み前記電子機器のアクセサリー取り付け部に対して前記軸部材の前記前後方向の位置決めを行なう位置決め面が設けられていることを特徴とする請求項１０記載のアクセサリー機器。
【請求項１２】
前記両側面の先部の前記第１係止片がそれぞれ前記側面に臨む前記各第１係止片の基部からそれぞれ前後方向に延在しつつ前記軸部材の先方に向けて突出するガイド壁が突設され、前記接片取り付け面は前記両ガイド壁の間に位置し、かつ、前記両ガイド壁の先端は前記接片取り付け面よりも前記軸部材の長さ方向の先方に位置し、前記下部ガイド面は、前記接片取り付け面とは反対に位置する前記ガイド壁の壁面により構成されていることを特徴とする請求項１０記載のアクセサリー機器。
【請求項１３】
前記凹部が設けられた前記軸部材の両側面の箇所よりも前記筐体方向に変位した箇所に、それぞれ前記側面に没入可能で前記側面から突出する方向に付勢されたばね片が設けられていることを特徴とする請求項１０記載のアクセサリー機器。
【請求項１４】
前記複数の接片は、前記接片取り付け面に没入可能で前記接片取り付け面から突出する方向に付勢されていることを特徴とする請求項１０記載のアクセサリー機器。
【請求項１５】
前記第１係止片および第２係止片が設けられた前記軸部材の箇所よりも前記筐体方向に変位した前記軸部材の箇所に回転可能に操作リングが設けられ、前記操作リングの回転により前記第１係止片および第２係止片に対して離間接近する方向に移動し前記第１係止片および第２係止片と協働して前記電子機器の前記アクセサリー取り付け部を締め付け固定する締め付けブロックが設けられていることを特徴とする請求項１０記載のアクセサリー機器。
【請求項１６】
前記締め付けブロックは、前記第１係止片および第２係止片と協働して前記電子機器の前記アクセサリー取り付け部を締め付け固定する締め付け部と、前記締め付け部の前記前後方向の中間部から突出し前記電子機器の前記アクセサリー取り付け部に係合して前記軸部材の前記前後方向の移動を阻止する移動阻止部とを備えていることを特徴とする請求項１５記載のアクセサリー機器。
【発明の詳細な説明】
【技術分野】
【０００１】
本発明は電子機器およびアクセサリー機器に関する。
【背景技術】
【０００２】
デジタルカメラやビデオカメラなどの撮像装置（以下電子機器という）には、多くの場合、補助光を発光するためのフラッシュライトや音声を収録するためのマイクなどのアクセサリー機器を装着するためのアクセサリー取り付け部が設けられている。
このような従来の電子機器のアクセサリー取り付け部は、平面状の装着面と、該装着面に接続された保持部と、装着面に設けられた電源用または信号授受用の接片とを備えている。
また、電子機器に取り付けられるアクセサリー機器には、アクセサリー取り付け部に装着される取り付け部が設けられ、該取り付け部には電源用または信号授受用の接片が設けられている。
そして、アクセサリー機器の取り付け部のアクセサリー取り付け部への装着は、アクセサリー機器の取り付け部をアクセサリー取り付け部の装着面に当てつけた状態で該装着面に沿って直線的にスライドさせアクセサリー機器の取り付け部をアクセサリー取り付け部の保持部に保持させることでなされている。そして、取り付け部が保持部に保持された状態でアクセサリー機器の各接片がアクセサリー取り付け部の各接片に電気的に接続されるように構成されている（例えば特許文献１、特許文献２参照）。なお、これらアクセサリー取り付け部と取り付け部とを合わせてアクセサリーシュー装置と称している。
【特許文献１】特開平９−１６３２００号公報
【特許文献２】特開平９−１６６８１６号公報
【発明の開示】
【発明が解決しようとする課題】
【０００３】
このような従来技術では、電子機器のアクセサリー取り付け部に対して、アクセサリー機器の取り付け部を直線的にその取り付け部の輪郭分スライドさせるため、電子機器のアクセサリー取り付け部の周囲にアクセサリー機器の取り付け部の輪郭の約２倍のスペースを確保する必要があり、電子機器の小型化を図る上で、あるいは、電子機器のデザイン性を向上させる上で不利があった。
本発明はこのような事情に鑑みなされたものであり、その目的は、電子機器およびアクセサリー機器の小型化およびデザイン性の向上を図る上で有利な電子機器およびアクセサリー機器を提供することにある。
【課題を解決するための手段】
【０００４】
上述の目的を達成するため、本発明は、アクセサリー機器の取り付け部を取り付けるためのアクセサリー取り付け部を備える電子機器である。前記アクセサリー取り付け部は、互いに向かい合う一対の係止板と、前記一対の係止板の間に形成されたガイド溝と、前記一対の係止板の下方および前記ガイド溝の下方に臨むように設けられた空間部とを備えている。前記ガイド溝は、前記一対の係止板が向かい合う方向である幅と、前記幅と直交する長さを有している。前記ガイド溝を構成する前記一対の係止板の各縁部には、前記ガイド溝の長さ方向に沿って第１凹部と、第１凸部と、第２凹部と、第２凸部とがこれらの順番でそれぞれ対向して設けられている。前記一対の係止板の前記第２凹部と前記第２凸部で挟まれた前記ガイド溝の下方の前記空間部の底部を形成し前記ガイド溝の下方における前記アクセサリー機器の取り付け部の位置決めを行なうと共に前記アクセサリー機器の取り付け部を前記ガイド溝の長さ方向に案内する上部ガイド面が設けられている。前記上部ガイド面よりも下方において前記一対の係止板の前記第１凸部で挟まれた前記ガイド溝の下方の前記空間部の底部を形成する接片取り付け面が設けられている。前記接片取り付け面に、前記アクセサリー機器との電気接続用の複数の接片が前記ガイド溝の幅方向に並べられて設けられている。前記一対の係止板の前記第１凹部と前記第１凸部の下方の前記空間部の前記ガイド溝の幅方向の両側に、前記ガイド溝の幅方向における前記アクセサリー機器の取り付け部の位置決めを行なうと共に前記アクセサリー機器の取り付け部を前記ガイド溝の長さ方向に案内する下部ガイド面が設けられている。
また、本発明は、電子機器のアクセサリー取り付け部に取り付けるための取り付け部を有するアクセサリー機器である。前記アクセサリー機器の前記取り付け部は、前記アクセサリー機器の筐体から突出する軸部材を備えている。前記軸部材の中心軸に対して直交する２方向のうちの一方の方向が前記軸部材の幅方向であり、前記２方向のうちの他方の方向が前記軸部材の前後方向である。前記軸部材の幅方向における前記軸部材の両側面の先部に、前記前後方向に間隔をおいて第１係止片と第２係止片が突設されると共に、前記第１係止片と前記第２係止片の間に残存した前記軸部材の側面部分により凹部が設けられている。前記両側面の先部の前記凹部と前記第２係止片が設けられた前記軸部材の部分の前記軸部材の長さ方向で前記筐体から離れる方向である前記軸部材の先方の箇所に、前記軸部材の長さ方向と直交する面上を延在し前記電子機器の前記アクセサリー取り付け部に対して前記軸部材の長さ方向の位置決めを行なうと共に前記アクセサリー取り付け部に対して前記軸部材が前記前後方向にガイドされる上部ガイド面が設けられている。前記両側面の先部の前記第１係止片が設けられた前記軸部材の部分の前記軸部材の先方の箇所に、前記上部ガイド面よりも前記軸部材の長さ方向の先方に位置して前記上部ガイド面に平行する接片取り付け面が設けられている。前記接片取り付け面に、前記電子機器との電気接続用の複数の接片が前記幅方向に並べられて設けられている。前記接片取り付け面の前記幅方向の両側の箇所に、前記電子機器の前記アクセサリー取り付け部に対して前記軸部材の前記幅方向の位置決めを行なうと共に前記アクセサリー取り付け部に対して前記軸部材が前記前後方向にガイドされる下部ガイド面が設けられている。
【発明の効果】
【０００５】
本発明の電子機器によれば、電子機器のアクセサリー取り付け部にアクセサリー機器の取り付け部を装着する際に、アクセサリー機器の取り付け部を、第１凹部と第２凹部から空間部に挿入し、次に、第１凹部から第１凸部方向へ（あるいは第２凹部から第２凸部方向へ）アクセサリー機器の取り付け部を移動させることで、アクセサリー機器の取り付け部を、電子機器のアクセサリー取り付け部に装着することが可能となる。
したがって、本発明の電子機器によれば、アクセサリー機器の取り付け部を電子機器のアクセサリー取り付け部に装着するために、ガイド溝の長さ方向に沿った必要なスペースを、従来に比較して格段と短縮でき、電子機器およびアクセサリー機器の小型化を図る上で、あるいは、電子機器およびアクセサリー機器のデザイン性を向上させる上で極めて有利となる。
【０００６】
また、本発明のアクセサリー機器によれば、電子機器のアクセサリー取り付け部にアクセサリー機器の取り付け部を装着する際に、第１係止片と第２係止片を電子機器のアクセサリー取り付け部に挿入し、次に、軸部材を前後方向に移動させることで、アクセサリー機器の取り付け部を、電子機器のアクセサリー取り付け部に装着することが可能となる。
したがって、本発明のアクセサリー機器によれば、アクセサリー機器の取り付け部を電子機器のアクセサリー取り付け部に装着するために、ガイド溝の長さ方向に沿った必要なスペースを、従来に比較して格段と短縮でき、電子機器およびアクセサリー機器の小型化を図る上で、あるいは、電子機器およびアクセサリー機器のデザイン性を向上させる上で極めて有利となる。
【発明を実施するための最良の形態】
【０００７】
（第１の実施の形態）
次に本発明の第１の実施の形態について図面を参照して説明する。
図１は第１の実施の形態の電子機器を前方から見た斜視図である。
図２は電子機器に設けられた電子機器側コネクタの斜視図であり、（Ａ）はカバーが閉塞位置にある状態を示し、（Ｂ）はカバーが開放位置にある状態を示す。
図３（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図４（Ｅ）は図３（Ｄ）のＥ矢視図、（Ｆ）は（Ｅ）のＦＦ線断面図である。
図５はアクセサリー機器の斜視図、図６はアクセサリー機器に設けられたアクセサリー側コネクタの斜視図、図７はアクセサリー側コネクタの平面図、図８は図７のＡ矢視図、図９は図７のＢ矢視図、図１０は図８のＣＣ線断面図である。
図１１は電子機器側コネクタにアクセサリー側コネクタが挿入された状態を示す断面図、図１２は電子機器側コネクタにアクセサリー側コネクタが装着された状態を示す断面図である。
【０００８】
まず、電子機器について説明する。
図１に示すように、本実施例において電子機器１００はビデオカメラであり、外装を構成する扁平な直方体状のケース１０２を有している。なお、本明細書において左右は、電子機器１００を前方から見た状態でいうものとし、また、光学系の光軸方向で被写体側を前方といい、撮像素子側を後方という。
ケース１０２の前面上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面上部には前記撮像素子によって撮像された被写体像を視認するための電子式ファインダー１０８が設けられている。
ケース１０２の右側面には前記撮像素子によって撮像された被写体像などを表示するためのディスプレイ１１０が開閉可能に設けられている。
ケース１０２の上面後部および左側面には、撮影スタートストップスイッチなどの操作スイッチ（不図示）や種々の設定を行うための設定スイッチ（不図示）が設けられている。
ケース１０２の上面前部には、平面視矩形状の凹部１１２が設けられ、該凹部１１２には、凹部１１２を開閉する蓋１１４が着脱可能に設けられている。凹部１１２の内部には電子機器側コネクタ１０が配設されており、電子機器側コネクタ１０の非使用時には、凹部１１２に蓋１１４が装着されることで電子機器側コネクタ１０が外部に対して覆われ、電子機器側コネクタ１０の使用時には、凹部１１２から蓋１１４が取り外されることで電子機器側コネクタ１０が外部に露出するように構成されている。
電子機器１００はアクセサリー機器２００（図５参照）を取り付けるためのアクセサリー取り付け部を備え、このアクセサリー取り付け部は電子機器側コネクタ１０で構成され、アクセサリー機器２００（図５参照）は、電子機器１００のアクセサリー取り付け部に取り付けるための取り付け部を備え、この取り付け部はアクセサリー側コネクタ４０（図５参照）で構成されている。
【０００９】
まず、電子機器側コネクタ１０について説明する。
図２（Ａ）、（Ｂ）に示すように、電子機器側コネクタ１０は、合成樹脂材料を用いて一体に型成形された内側部材１２と、鋼板が屈曲形成された外側部材１４とを備え、内側部材１２は外側部材１４の内側に嵌合固定されている。
電子機器側コネクタ１０は、アクセサリー機器との電気接続用の複数の接片１６と、ガイド溝１８が形成された係止板２０と、係止板２０の下方およびガイド溝１８の下方に臨むように設けられた空間部２２とを備えている。
外側部材１４は、底板部１４Ａと、底板部１４Ａの両側から起立する側板部１４Ｂと、側板部１４Ｂの上端から互いに向かい合う方向に屈曲形成された上板部１４Ｃとを備えており、係止板２０は上板部１４Ｃにより形成され、両側の係止板２０は同一面上を延在している。
ガイド溝１８を構成する係止板２０の箇所で互いに対向する一対の縁部には、ガイド溝１８の延在方向に第１凹部２００２と、第１凸部２００４と、第２凹部２００６と、第２凸部２００８とがこれらの順番でそれぞれ対向して設けられ、ガイド溝１８の延在方向の両端は開放され、各第１凸部２００４の先端と各第２凸部２００８の先端はガイド溝１８の延在方向に直線状に延在している。
なお、ガイド溝１８は、一対の係止板２０が向かい合う方向である幅と、前記幅と直交する長さを有しており、上述のガイド溝１８の延在方向がガイド溝１８の長さ方向である。
第１凸部２００４は、図３（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、アクセサリー側コネクタ４０（図５参照）が挿入され前記挿入方向と直交する方向に移動されるスペースであり、係止板２０の下方で両側板部１４Ｂの内側で内側部材１２の上方の空間である。
なお、実施の形態の説明において便宜上、アクセサリー側コネクタ４０を電子機器側コネクタ１０に装着する際、アクセサリー側コネクタ４０をガイド溝１８を通して空間部２２に挿入する方向を挿入方向といい、アクセサリー側コネクタ４０を空間部２２に挿入したのちアクセサリー側コネクタ４０を空間部２２内で移動する方向、すなわちガイド溝１８の延在方向を装着方向といい、挿入方向の逆方向を取り出し方向といい、装着方向の逆方向を取り外し方向というものとする。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対の下部ガイド面を画成するコネクタ側ガイド面２４が設けられている。この一対のコネクタ側ガイド面２４は、ガイド溝１８の延在方向と直交する方向、すなわちガイド溝１８の幅方向におけるアクセサリー側コネクタ４０の位置決めを行うものである。
言い換えると、図２、図３に示すように、一対の係止板２０の第１凹部２００２と第１凸部２００４の下方の空間部２２のガイド溝１８の幅方向の両側に、ガイド溝１８の幅方向におけるアクセサリー側コネクタ４０の位置決めを行なうと共にアクセサリー側コネクタ４０をガイド溝１８の長さ方向に案内するコネクタ側ガイド面２４が設けられている。
【００１０】
電子機器側コネクタ１０の電気接続用の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦な上部ガイド面を画成する中間面１２０７が設けられ、言い換えると、一対の係止板２０の第２凹部２００６と第２凸部２００８で挟まれたガイド溝１８の下方の空間部２２の底部を形成する中間面１２０７が設けられ、この中間面１２０７は、第１凹部２００２と第１凸部２００４の下方で両側板部１４Ｂに沿った内側部材１２の箇所に延在している。
本実施の形態では、アクセサリー側コネクタ４０が空間部２２に挿入される際に、アクセサリー側コネクタ４０の先端面５００６（図６参照）が中間面１２０７に当て付けられることで、空間部２２内においてアクセサリー側コネクタ４０の前記挿入方向の位置が規制されるように、言い換えると位置決めがなされるように構成されている。
図３（Ａ）、（Ｂ）に示すように、接片取り付け面１２０６は、中間面１２０７よりも下方において一対の係止板２０の第１凸部２００４で挟まれたガイド溝１８の下方の空間部２２の底部を形成している。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。言い換えると、図３（Ａ）に示すように、複数の接片１６は、中間面１２０７寄りの接片取り付け面１２０６の箇所に設けられている。
なお、図２（Ｂ）に示すように、接片取り付け面１２０６のガイド溝１８の幅方向両側の箇所に、ガイド溝１８の長さ方向に延在する凹部１２２０が設けられている。
【００１１】
電子機器側コネクタ１０の複数の接片１６について詳細に説明すると、図４（Ｆ）に示すように、各接片１６は、細幅で細長状の金属板材が屈曲されて構成され、それらの一端１６Ａが開口を介して接片取り付け面１２０６の上方に露出して配置され、図３（Ａ）に示すように、各接片１６の一端１６Ａが接片取り付け面１２０６上に露出する部分は長手方向が前記装着方向と一致して直線状に延在している。
電子機器側コネクタ１０の複数の接片１６の一端１６Ａは、図３（Ａ）に示すように、前記装着方向における端部がガイド溝１８の幅方向において直線上に位置するように並べられ、複数の接片１６のうちグランド電位に接続されるグランド接片１６０２は、その一端１６Ａが他の信号接片１６０４に比較して長手方向の寸法が大きく形成されており、グランド接片１６０２の一端１６Ａの前記取り外し方向における端部は他の信号接片１６０４の端部よりも突出している。言い換えると、複数の接片１６のうちグラウンド用の接片１６０２は他の接片１６よりも、ガイド溝１８の長さ方向で第１凸部２００４から第１凹部２００２に向かう方向に長く延在している。なお、図３（Ａ）において符号１６０５は電源用の接片を示している。
このような各接片１６０２，１６０４、１６０５のレイアウト（配置）は、アクセサリー側コネクタ２０を電子機器側コネクタ１０に装着する際に、図６に示すように、アクセサリー側コネクタ４０の接片４８のうちグランド電位に接続されるグランド接片４８０２が、他の信号接片４８０４に先行して、電子機器側コネクタ１０のグランド接片１６０２に接続させ、アクセサリー機器２００と電子機器１００の基準電位を最初にグランド電位にさせることで静電ノイズの影響を受けにくくするとともに、アクセサリー機器および電子機器の動作の安定化を図る目的でなされている。
また、図４（Ｆ）に示すように、各接片１６の一端１６Ａを除く部分は内側部材１２内部に配設され、接片１６の他端１６Ｂは、内側部材１２の前記装着方向の端部に開口された孔部１２０８内に導かれている。
図３（Ｃ）、図４（Ｅ），（Ｆ）に示すように、内側部材１２の底部および外側部材１４の底板部１４Ａには、孔部１２０８に通じるように欠部１４０２が設けられ、図１２に示すように、電子機器１００に設けられたフレキシブル基板１５０の接続端１５２が欠部１４０２を介して孔部１２０８に挿入され孔部１２０８内で接続端１５２が各接片１６の他端１６Ｂに電気的に接続されるとともに、各他端１６Ｂの弾性により、接続端１５２が各他端１６Ｂと孔部１２０８を構成する壁面との間に挟持される。
これにより、フレキシブル基板１５０を介して電子機器１００内部の電気回路から各接片１６にアクセサリー機器２００を駆動するための電気信号が供給され、あるいは、各接片１６から電子機器１００内部の電気回路にアクセサリー機器２００からの電気信号が供給されるように構成されている。
この際、図１２に示すように、外側部材１４の底板部１４Ａが電子機器１００の凹部１１２の底面に取着される場合、外側部材１４に欠部１４０２が設けられているため、フレキシブル基板１５０を欠部１４０２内で屈曲させて電子機器１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方にフレキシブル基板１５０を引き回すためのスペースを確保する必要がなく電子機器側コネクタ１０を取り付けるために必要なスペースを縮小する上で有利となる。
なお、図４（Ｆ）において符号１２１０は外側部材１４の底面に突設された位置決め用のボスであり、このボス１２１０を電子機器１００の凹部１１２（図１参照）の底面に設けられた孔に係合させることでアクセサリー側コネクタ４０の位置決めを行うようになっている。
【００１２】
本実施の形態では、図２（Ｂ）に示すように、傾斜面１２０４は、アース電位に接続される接片１６０２に対応する傾斜面１２０４Ａと、他の接片１６０４、１６０５に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａ(図３（Ａ）)と、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
傾斜面１２０４はアクセサリー側コネクタ４０の接片４８を円滑に案内する機能を有している。
なお、各接片１６が、傾斜面１２０４と接片取り付け面１２０６との境の部分から前記装着方向に間隔をおいた接片取り付け面１２０６の箇所に設けられているのは、アクセサリー側コネクタ４０を電子機器側コネクタ１０に挿入して前記装着方向に移動させる際、アクセサリー側コネクタ４０の接片４８が前記間隔分だけ接片取り付け面１２０６と摺接することにより、アクセサリー側コネクタ４０の接片４８が接片１６に対して安定した状態で接触させるためであり、したがって、接片取り付け面１２０６上において、傾斜面１２０４と接片取り付け面１２０６との境の部分から各接片１６の前記取り外し方向の端部までの箇所は、アクセサリー側コネクタ４０の接片４８の滑走面として機能する。
【００１３】
また、空間部２２の底部を形成する内側部材１２の箇所で一対のコネクタ側ガイド面２４の間の箇所に、具体的には中間面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図２（Ａ）、図１１）に付勢するスプリング２６０２（図３（Ａ）参照）が設けられ、カバー２６は、前記装着方向への移動時にアクセサリー側コネクタ４０の挿入部５０の箇所である起立面６０（図６参照）に当接して挿入部５０により接片１６を開放する開放位置（図２（Ｂ）、図１２）に移動されるように構成されている。
また、前記取り外し方向における中間面１２０７の端部には、ガイド溝１８の幅方向に沿って位置決め面を画成する当接面１２１０が延在形成されている。
本実施の形態では、アクセサリー側コネクタ４０が空間部２２に挿入される際に、アクセサリー側コネクタ４０の起立面６０（図６参照）が当接面１２１０に当て付けられることで、空間部２２内においてアクセサリー側コネクタ４０の前記装着方向の位置が規制されるように、言い換えると位置決めがなされるように構成されている。当接面１２１０は、ガイド溝１８の長さ方向で第１凸部２００４から第１凹部２００２の方向に臨んでいる。
【００１４】
次にアクセサリー機器２００について説明する。
図５に示すように、本実施の形態においてアクセサリー機器２００は電子機器１００に比較して外形が小さな小型カメラであり、この小型カメラは例えば電子機器１００の撮影と同時に該電子機器１００とは異なった方向の被写体や、電子機器１００とは異なった撮影倍率で電子機器１００と同じ被写体や異なった被写体の撮影を行うようにしたものである。
アクセサリー機器２００は、筐体を構成する直方体状のケース２０２を有し、ケース２０２の前面には、撮影光学系２０４が組み込まれた鏡筒２０６が前方に臨んで設けられている。
ケース２０２の内部には、撮影光学系２０４によって導かれた被写体像を撮像する撮像素子、該撮像素子によって生成された撮像信号を処理して後述するアクセサリー側コネクタ２０へ出力する信号処理部などが収容されている。
ケース２０２の下面には、下方に突出する円柱状の連結部２０８がケース２０２と一体的に設けられている。連結部２０８の下部には該連結部２０８の中心軸を中心としてアクセサリー側コネクタ２０が回転可能に連結されている。なお、図中符号２１０は連結部２０８に対してアクセサリー側コネクタ４０の回転を固定する固定ねじである。
【００１５】
図６に示すように、本実施の形態では、アクセサリー側コネクタ４０は、連結部２０８の下部に連結される円柱状の軸部材４２を有し、軸部材４２の下端には断面形状が軸部材４２より小さい角柱状の軸部材からなる挿入部５０が設けられている。なお、挿入部５０の中心軸に対して直交する２方向のうちの一方の方向が挿入部５０の幅方向であり、前記２方向のうちの他方の方向が挿入部５０の前後方向（前記装着方向および前記取り外し方向）である。
前記幅方向における挿入部５０の先部の両側の側面は、ガイド溝１８に対して円滑に挿脱できるように、ガイド溝１８の最も内側の縁を構成する一対の第１凸部２００４の先端間の寸法および一対の第２凸部２００８の先端間の寸法よりも僅かに小さい寸法で形成されている。
挿入部５０の先部の両側の側面には、電子機器側コネクタ１０の第１凹部２００２から空間部２２に挿入され空間部２２内で前記装着方向に沿って移動可能な第１係止片５００２と、電子機器側コネクタ１０の第２凹部２００６から空間部２２に挿入され空間部２２内で前記装着方向に沿って移動可能な第２係止片５００４とが同一面上で前記前後方向に互いに間隔をおいて突出形成されている。また、第１係止片５００２と第２係止片５００４の間に残存した挿入部５０の先部の側面部分により凹部５００５が形成されている。
本実施例では、第１、第２係止片５００２，５００４の前記装着方向の延在長さは挿入部５０の前記装着方向の寸法の約１／３程度に形成されている。
【００１６】
図６〜図８に示すように、挿入部５０の先部の両側の側面で第１係止片５００２と第２係止片５００４との間の箇所にはばね片５２がそれぞれ湾曲状に突出しており、ばね片５２は薄板状のばね鋼板が挿入部５０の内部に組み込まれることで配設されている。
ばね片５２は、第１係止片５００２および第２係止片５００４よりも挿入部５０の基部寄りに変位した箇所に設けられ、言い換えると、ばね片５２は凹部５００５が設けられた挿入部５０の両側面の箇所よりもケース２０２方向に変位した箇所に、それぞれ側面に没入可能で側面から突出する方向に付勢されて設けられている。
ばね片５２は、第１係止片５００２が第１凹部２００２を通って空間部２２に位置し第２係止片５００４が第２凹部２００６を通って空間部２２に位置した状態で第１凹部２００２内に位置し、空間部２２内で第１係止片５００２および第２係止片５００４が第１凸部２００４と第２凸部２００８の下面方向に移動する際に第１凸部２００４の先端に弾接し、かつ、第１係止片５００２および第２係止片５００４が第１凸部２００４と第２凸部２００８の下面に位置した状態で第２凹部２００６内に位置し、アクセサリー機器２００を装着操作するユーザーにクリック感を与えるように構成されている。本実施例では、空間部２２で第１係止片５００２および第２係止片５００４が前記装着方向に移動し第１凸部２００４と第２凸部２００８の下面に位置した状態で第１凸部２００４寄りの第２凹部２００６の端部に弾接し、この位置にアクセサリー機器２００を仮止めするように構成されている。
【００１７】
また、挿入部５０の先端には上部ガイド面を画成する先端面５００６が設けられ、先端面５００６は挿入部５０が空間部２２に挿入される際に電子機器側コネクタ１０の中間面１２０７に当接し、空間部２２内においてアクセサリー側コネクタ４０の前記挿入方向の位置が規制されるように、言い換えると位置決めがなされるように構成されている。
先端面５００６は、図６に示すように、挿入部５０の両側面の先部の凹部５００５と第２係止片５００４が設けられた挿入部５０の部分の挿入部５０の長さ方向でケース２０２から離れる方向である挿入部５０の先方の箇所に、挿入部５０の長さ方向と直交する面上を延在し電子機器側コネクタ１０に対して挿入部５０の長さ方向の位置決めを行なうと共に電子機器側コネクタ１０に対して挿入部が前記前後方向にガイドされる面である。
本実施の形態では、両側の第１係止片５００２の基端から互いに対向するように一対のガイド壁５８が挿入部５０の長手方向（前記挿入方向）に突出形成され、一対のガイド壁５８の外側面は一対のコネクタ側ガイド面２４に摺動可能な下部ガイド面を画成するアクセサリーガイド面５２として形成され、アクセサリーガイド面５２がコネクタ側ガイド面２４に接触することで、空間部２２内におけるガイド溝１８の幅方向におけるアクセサリー側コネクタ４０の位置決めが行われる。
また、本実施の形態では、アクセサリー側コネクタ４０の挿入部５０が電子機器側コネクタ１０の空間部２２に挿入される際に、空間部２２に対する挿入部５０の前記装着方向に沿った向きが逆向きであった場合には、アクセサリー側コネクタ４０の一対のガイド壁５８が電子機器側コネクタ１０の中間面１２０７に当接され、逆向きでの挿入が禁止されている。
挿入部５０の先端で一対のガイド壁５８の基部の間の箇所に先端面５００６と平行する平坦な接片取り付け面５６が設けられ、接片取り付け面５６は、先端面５００６よりも先端方向に変位しており、接片取り付け面５６と先端面５００６との間にはそれらの面５６、５００６に直交する位置決め面を画成する起立面６０が形成されている。
したがって、図６に示すように、接片取り付け面５６は、第１係止片５００２が設けられた挿入部５０の部分の先方の箇所に、先端面５００６よりも挿入部５０の長さ方向の先方に位置して先端面５００６と平行している。
また、図６に示すように、アクセサリーガイド面５２は、接片取り付け面５６の前記幅方向の両側の箇所に位置している。
また、起立面６０は、前記前後方向で接片取り付け面５６から先端面５００６方向に臨んでいる。
アクセサリー側コネクタ４０の複数の接片４８は接片取り付け面５６に設けられ、一対のガイド壁５８方向に互いに間隔を置いて直線状に並べられて配置されている。
起立面６０は、挿入部５０が電子機器側コネクタ１０の空間部２２に挿入され前記装着方向へ移動される際にカバー２６の端面に当接するように構成されている。
また、起立面６０は、後述するように、電子機器側コネクタ１０の当接面１２１０に当接し、電子機器側コネクタ１０に対する挿入部５０の前記装着方向における位置決めを行なう。
また、挿入部５０が電子機器側コネクタ１０の空間部２２に挿入され空間部２２内で前記装着方向に移動されることで第１係止片５００２および第２係止片５００４が第１凸部２００４と第２凸部２００８の下面に位置し、この状態で、アクセサリー側コネクタ４０の複数の接片４８と電子機器側コネクタ１０の複数の接片１６が接触するように構成されている。
【００１８】
アクセサリー側コネクタ４０の複数の接片４８について詳細に説明すると、図１０に示すように、各接片４８は、細幅で細長状の金属板材が屈曲されて構成され、それらの一端４８Ａが接片取り付け面５６から下方に（挿入部５０の延在方向または前記挿入方向に）突出し、本実施例では、ガイド溝１８の幅方向における接片取り付け面５６の両側からそれぞれガイド壁５８が突出されており、複数の接片４８の一端４８Ａは両側のガイド壁５８の先端よりも挿入部５０の基端側に変位した箇所に位置している。具体的に説明すると、各接片４８は、その一端４８Ａが接片取り付け面５６の下方に向かって常時突出しており、一端４８Ａが上方に押圧された場合に一端４８Ａが接片取り付け面５６内に没入するように弾性変形可能に構成されている。
各接片４８は、グランド電位に接続されるグランド接片４８０２と、他の信号接片４８０４とを含み、グランド接片４８０２は電子機器側コネクタ１０のグランド接片１６０２に接続され、他の信号接片４８０４は電子機器側コネクタ１０の他の信号接片１６０２に接続されるように構成されている。なお、図７において符号４８０５は電源用の接片を示し、電源用の接片４８０５は、電子機器側コネクタ１０の電源用の接片１６０５に接続されるように構成されている。
また、図１０に示すように、各接片４８の一端４８Ａを除く部分は挿入部５０の内部に配設され、接片４８の他端４８Ｂは、アクセサリー機器２００に設けられた配線部材２０１に電気的に接続される。
これにより、各接片４８および配線部材２０１を介してアクセサリー機器２００内部の電気回路にアクセサリー機器２００を駆動するための電気信号が供給され、あるいは、配線部材２０１を介してアクセサリー機器２００内部の電気回路からの電気信号が各接片４８に供給されるように構成されている。
【００１９】
また、軸部材４２の下部外周、言い換えると、挿入部５０の基部には不図示の雄ねじが形成され、この雄ねじに締め付けリング４４が螺合されている。
そして、締め付けリング４４は、第１係止片５００２が第１凹部２００２を通って空間部２２に位置し第２係止片５００４が第２凹部２００６を通って空間部２２に位置した状態で係止板２０上に位置し、空間部２２で第１係止片５００２および第２係止片５００４が前記装着方向に移動し第１凸部２００４と第２凸部２００８の下面に位置した状態で回転操作すると、第１凸部２００４と第２凸部２００８とを、第１係止片５００２および第２係止片５００４と協働して締め付け固定するように構成されている。
したがって、本実施例では、第１係止片５００２、第２係止片５００４、第１凸部２００４、第２凸部２００８、締め付けリング４４によって、アクセサリー側コネクタ４０を電子機器側コネクタ１０に固定する固定手段が構成されている。
【００２０】
次に電子機器側コネクタ１０およびアクセサリー側コネクタ４０の使用方法について説明する。
電子機器１００にアクセサリー機器２００を装着する場合には、蓋１１４を取り外して電子機器側コネクタ１０をケース１０２の外部に露出させ、アクセサリー側コネクタ４０の先端面５００６を電子機器側コネクタ１０の中間面１２０７に臨ませ、アクセサリー側コネクタ４０の第１係止片５００２を電子機器側コネクタ１０の第１凹部２００２に臨ませ、かつ、アクセサリー側コネクタ４０の第２係止片５００４を電子機器側コネクタ１０の第２凹部２００６に臨ませ、この状態でアクセサリー側コネクタ４０の挿入部５０を電子機器側コネクタ１０のガイド溝１８に挿入し、これによりアクセサリー側コネクタ４０の両側のアクセサリーガイド面５２がコネクタ側ガイド面２４に接触し、空間部２２内におけるガイド溝１８の幅方向におけるアクセサリー側コネクタ４０の位置決めが行われる。
このようなアクセサリー側コネクタ４０の挿入により、図１１に示すように、アクセサリー側コネクタ４０の第１係止片５００２は第１凹部２００２を通って空間部２２に位置し、第２係止片５００４は第２凹部２００６を通って空間部２２に位置し、また、アクセサリー側コネクタ４０の先端面５００６が電子機器側コネクタ１０の中間面１２０７に当接し、アクセサリー側コネクタ４０のばね片５２が第１凹部２００２内に位置する。
【００２１】
次いで、図１２に示すように、挿入部５０を前記装着方向に移動させると、ばね片５２は、挿入部５０の前記装着方向への移動に伴い第１凸部２００４の先端に弾接して挿入部５０の側面に僅かに没入され、第１凸部２００４の先端に弾接しつつ挿入部５０と一体に移動する。
やがて、第１係止片５００２および第２係止片５００４が第１凸部２００４と第２凸部２００８の下面に位置した状態でばね片５２は第２凹部２００６内に突出し、アクセサリー側コネクタ４０の起立面６０が電子機器側コネクタ１０の当接面１２１０に当接し、前記装着方向における位置決めがなされる。本実施例では、第１係止片５００２および第２係止片５００４が第１凸部２００４と第２凸部２００８の下面に位置した状態で、ばね片５２は、第１凸部２００４寄りの第２凹部２００６の端部に弾接する。
そして、挿入部５０の前記装着方向への移動により、アクセサリー側コネクタ４０の起立面６０により電子機器側コネクタ１０のカバー２６が前記開放位置に移動されるとともに、アクセサリー側コネクタ４０の各接片４８が傾斜面１２０４および接片取り付け面１２０６に摺接したのち電子機器側コネクタ１０の各接片１６にそれぞれ接続され電気的に導通する。
次いで締め付けリング４４を回動させることで、第１凸部２００４と第２凸部２００８とを、第１係止片５００２および第２係止片５００４と協働して締め付け固定し、アクセサリー機器２００が電子機器１００に装着される。
これによりアクセサリー機器２００による撮影と、電子機器１００による撮影とを同時に行うことが可能となる。なお、アクセサリー機器２００で生成された撮像信号はアクセサリー側コネクタ４０から電子機器側コネクタ１０を介して電子機器１００に伝達され、電子機器１００では伝達された前記撮像信号に対して必要な信号処理を行う。
【００２２】
電子機器１００からアクセサリー機器２００を取り外す場合には、締め付けリング４４を回動させることでアクセサリー側コネクタ４０と電子機器側コネクタ１０との固定を解除する。
次いでアクセサリー側コネクタ４０の挿入部５０を前記取り外し方向に動かすと、第１係止片５００２と第２係止片５００４が空間部２２に位置した状態で移動され、第１係止片５００２は第１凹部２００２の下方に位置し、第２係止片５００４は第２凹部２００４の下方に位置し、ばね片５２は、第２凹部から第１凸部の先端に弾接して挿入部５０の側面に僅かに没入され、第１凸部２００４の先端に弾接しつつ挿入部５０と一体に移動し、第１凹部２００２内に突出する。挿入部５０の前記取り出し方向への移動により、アクセサリー側コネクタ４０の各接片４８と電子機器側コネクタ１０の各接片１６とが離間され電気的な導通が解除され、カバー２６は開放位置から閉塞位置に復帰される。
この状態でアクセサリー側コネクタ４０の挿入部５０を前記取り出し方向に動かすと、アクセサリー側コネクタ４０の第１係止片５００２は第１凹部２００２を通り、第２係止片５００４は第２凹部２００６を通って空間部２２から上方に移動され、アクセサリー側コネクタ４０の挿入部５０が電子機器側コネクタ１０から離間され、アクセサリー機器２００が電子機器１００から取り外される。
【００２３】
（第２の実施の形態）
次に第２の実施の形態について説明する。
なお、以下の実施の形態の説明において、第１の実施の形態と同様な箇所、部材に同一の符号を付して説明する。
第２の実施の形態が第１の実施の形態と異なるのは、電子機器側コネクタ１０の空間部２２にアクセサリー側コネクタ４０を誤った方向から装着することを防止するための壁部を設けた点である。
図１３（Ａ）は第２の実施の形態の電子機器側コネクタ１０の斜視図であり、（Ａ）はカバーが閉塞位置にある状態を示し、（Ｂ）はカバーが開放位置にある状態を示す。
図１３（Ａ）、（Ｂ）に示すように、第１の実施の形態と同様に、底面１２０２におけるガイド溝１８の幅方向両側箇所に、コネクタ側ガイド面２４に沿って延在する凹部１２２０が設けられており、アクセサリー側コネクタ４０の挿入時にこの凹部１２２０にガイド壁５８の先端が収容される。第１の実施の形態では、この凹部１２２０が前記取り外し方向に開放状に形成されていたが、実施例２では凹部１２２０の前記取り外し方向の端部に壁部１２２２を設け、凹部１２２０の前記取り外し方向の端部を閉塞している。
この壁部１２２０の上面は底面１２０２と同一面上に位置している。
このような構成によれば、アクセサリー側コネクタ４０の挿入部５０を電子機器側コネクタ１０の前記取り外し方向に臨む箇所から前記装着方向に挿入しようとしても、挿入部５０のガイド壁５８が壁部１２２２に当接して前記装着方向への挿入が禁止される。
したがって、アクセサリー側コネクタ４０の挿入部５０を電子機器側コネクタ１０の前記取り外し方向に臨む箇所から前記装着方向に挿入するといった誤った操作を禁止することができる。
これにより、アクセサリー側コネクタ４０を電子機器側コネクタ１０に装着する際に、アクセサリー側コネクタ４０をガイド溝１８の間から空間部２２に挿入するという操作のみを許容することができるので、アクセサリー機器２００を電子機器１００に装着する際の操作方法を１つに限定でき使い勝手を向上させることができる。
【００２４】
第１、第２の実施の形態によれば、電子機器側コネクタ１０にアクセサリー側コネクタ４０を装着する際に、アクセサリー側コネクタ４０の第１係止片５００２は第１凹部２００２を通り、第２係止片５００４は第２凹部２００６を通って空間部２２に位置させたのち、アクセサリー側コネクタ４０の挿入部５０を前記装着方向に動かすことで第１係止片５００２を第１凸部２００４の下面に位置させ、第２係止片５００４を第２凸部２００８の下面に位置させた状態で電子機器側コネクタ１０の複数の接片１６にアクセサリー側コネクタ４０の複数の接片４８が接触する。
ここで、図１１、図１２を参照してアクセサリー側コネクタ４０を電子機器側コネクタ１０に装着するために必要なスペースの前記装着方向の寸法Ｓを考えると、本実施例では、第１、第２係止片５００２，５００４の前記装着方向の延在長さが挿入部５０の前記装着方向の寸法の約１／３であるため、前記寸法Ｓは前記装着方向に沿ったアクセサリー側コネクタ４０の寸法（挿入部５０の寸法）Ｌと、第１、第２係止片５００２，５００４の前記装着方向の寸法約Ｌ／３との和、すなわち寸法Ｓは約（Ｌ＋Ｌ／３）で済むことになる。
したがって、アクセサリー側コネクタ４０を電子機器側コネクタ１０に装着するために必要なスペースを、前記装着方向に沿ったアクセサリー側コネクタ４０の寸法と、第１、第２係止片５００２、５００４の前記装着方向の寸法との和で済むことになる。
これに対して従来のようにアクセサリー側コネクタ４０を電子機器側コネクタ１０の輪郭の外側から装着する場合には、前記寸法Ｓは前記装着方向に沿ったアクセサリー側コネクタ４０の寸法Ｌの２倍である２Ｌ必要となる。
したがって、従来に比較して電子機器側コネクタ１０の周囲にアクセサリー側コネクタ４０を装着させるための広いスペースを確保する必要がなく、電子機器１００およびアクセサリー機器２００の小型化を図る上で、あるいは、電子機器１００およびアクセサリー機器２００のデザイン性を向上させる上で極めて有利となる。
また、アクセサリー側コネクタ４０の第１係止片２００４に係止し第１係止片２００４により挟持される電子機器側コネクタ１０の第１凸部２００４を、すなわちアクセサリー側コネクタ４０を固定するための第１凸部２００４を、アクセサリー側コネクタ４０のばね片５２が弾接することでクリック感を発生させる部材として共用したので部品点数の増加を抑制できコストダウンを図る上で有利となる。
また、アクセサリー側コネクタ４０の接片４８と電子機器側コネクタ１０の接片１６とが接続した状態で、ばね片５２が第１凸部２００４の端部に弾接するようにし、アクセサリー側コネクタ４０の仮止めを行うようにしたので、アクセサリー側コネクタ４０を固定するための第１凸部２００４を、アクセサリー側コネクタ４０の仮止めを行う部材として共用でき部品点数の増加を抑制できコストダウンを図る上で有利となる。
【００２５】
（第３の実施の形態）
次に本発明の第３の実施の形態について図面を参照して説明する。
図１４は第３の実施の形態の電子機器を前方から見た斜視図である。
図１５は電子機器に設けられた電子機器側コネクタのカバーが閉塞位置にある状態を示す斜視図、図１６は電子機器に設けられた電子機器側コネクタのカバーが開放位置にある状態を示す斜視図である。
図１７（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
図１８（Ｅ）は図１７（Ｄ）のＥ矢視図、（Ｆ）は（Ｅ）のＦＦ線断面図である。
図１９はアクセサリー機器の斜視図、図２０はアクセサリー機器に設けられたアクセサリー側コネクタの斜視図、図２１はアクセサリー側コネクタの平面図、図２２は図２１のＡ矢視図、図２３は図２１のＢ矢視図、図２４は図２２のＣＣ線断面図である。
図２５は電子機器側コネクタにアクセサリー側コネクタが挿入された状態を示す断面図、図２６は電子機器側コネクタにアクセサリー側コネクタが装着された状態を示す断面図である。
図２７は電子機器側コネクタの上方にアクセサリー側コネクタを位置させた状態を示す斜視図、図２８は図２７のＡ矢視図、図２９は電子機器側コネクタにアクセサリー側コネクタが装着された状態を示す斜視図、図３０は図２９のＡ矢視図である。
【００２６】
まず、電子機器について説明する。
図１４に示すように、本実施の形態において電子機器１００はビデオカメラであり、外装を構成する扁平な直方体状のケース１０２を有している。
ケース１０２の前面上部には、撮影光学系１０４が組み込まれた鏡筒１０６が前方に臨んで設けられている。
ケース１０２の内部には、撮影光学系１０４によって導かれた被写体像を撮像する撮像素子、該撮像素子で撮像された被写体像の静止画および動画のデータを記録媒体に記録再生する記録再生部などが収容されている。
ケース１０２の後面上部には前記撮像素子によって撮像された被写体像を視認するための電子式ファインダー１０８が設けられている。
ケース１０２の右側面には前記撮像素子によって撮像された被写体像などを表示するためのディスプレイ１１０が開閉可能に設けられている。
ケース１０２の上面後部および左側面には、撮影スタートストップスイッチなどの操作スイッチ（不図示）や種々の設定を行うための設定スイッチ（不図示）が設けられている。
ケース１０２の上面前部には、平面視矩形状の凹部１１２が設けられ、該凹部１１２には、凹部１１２を開閉する蓋１１４が着脱可能に設けられている。凹部１１２の内部には電子機器側コネクタ１０が配設されており、電子機器側コネクタ１０の非使用時には、凹部１１２に蓋１１４が装着されることで電子機器側コネクタ１０が外部に対して覆われ、電子機器側コネクタ１０の使用時には、凹部１１２から蓋１１４が取り外されることで電子機器側コネクタ１０が外部に露出するように構成されている。
電子機器１００はアクセサリー機器２００（図１９参照）を取り付けるためのアクセサリー取り付け部を備え、このアクセサリー取り付け部は電子機器側コネクタ１０で構成され、アクセサリー機器２００（図１９参照）は、電子機器１００のアクセサリー取り付け部に取り付けるための取り付け部を備え、この取り付け部はアクセサリー側コネクタ４０（図１９参照）で構成されている。
【００２７】
まず、電子機器側コネクタ１０について説明する。
図１５、図１６に示すように、電子機器側コネクタ１０は、合成樹脂材料を用いて一体に型成形された内側部材１２と、鋼板が屈曲形成された外側部材１４とを備え、内側部材１２は外側部材１４の内側下部に嵌合固定されている。
外側部材１４は、底板部１４Ａと、底板部１４Ａの両側から起立する側板部１４Ｂと、側板部１４Ｂの上端から互いに向かい合う方向に屈曲形成された一対の上板部１４Ｃとを備えている。
電子機器側コネクタ１０は、電源用または信号授受用の接片１６と、一対の係止板２０と、対向する一対の係止板２０の間に形成されたガイド溝１８と、各係止板２０の下方およびガイド溝１８の下方に臨むように設けられた空間部２２とを備えている。
一対の係止板２０は一対の上板部１４Ｃにより形成され、同一面上で延在してそれらの縁部が互いに対向している。
ガイド溝１８は、互いに対向する一対の係止板２０の縁部の間に前記対向する方向と直交する方向に延在形成され、その延在方向の両端は開放されている。
なお、ガイド溝１８は、一対の係止板２０が向かい合う方向である幅と、前記幅と直交する長さを有しており、上述のガイド溝１８の延在方向がガイド溝１８の長さ方向である。
互いに対向する係止板２０の縁部には、互いに対向する係止板２０の縁部が離れる方向に窪む第１凹部２００２（または係止板２０が切り欠かれた切り欠き２００２）と、互いに対向する係止板２０の縁部が近づく方向に突出する第１凸部２００４と、互いに対向する係止板２０の縁部が離れる方向に窪む第２凹部２００６と、互いに対向する係止板２０の縁部が近づく方向に突出する第２凸部２００８とがガイド溝１８の延在方向にそれらの順番で設けられている。
各第１凸部２００４の先端縁部と各第２凸部２００８の先端縁部はガイド溝１８の延在方向に平行して直線状に延在している。第１凸部２００４は、図１７（Ａ）に示すように、突出寸法の小さい凸部部分２００４Ａと突出寸法の大きい凸部分２００４Ｂとがガイド溝１８の延在方向に並べられて構成され、第２凸部２００８は凸部分２００４Ｂと同一の突出寸法で形成されている。
空間部２２は、アクセサリー側コネクタ４０（図１９参照）が挿入され前記挿入方向と直交する方向に移動されるスペースであり、係止板２０の下方で両側板部１４Ｂの内側で内側部材１２の上方の空間である。
なお、実施の形態の説明において便宜上、アクセサリー側コネクタ４０を電子機器側コネクタ１０に装着する際、アクセサリー側コネクタ４０をガイド溝１８を通して空間部２２に挿入する方向を挿入方向といい、アクセサリー側コネクタ４０を空間部２２に挿入したのちアクセサリー側コネクタ４０を空間部２２内で移動する方向、すなわちガイド溝１８の延在方向を装着方向といい、挿入方向の逆方向を取り出し方向といい、装着方向の逆方向を取り外し方向というものとする。
空間部２２の底部を形成する電子機器側コネクタ１０の箇所、すなわち内側部材１２の箇所で第１凹部２００２と第１凸部２００４の下方の箇所には、前記ガイド溝１８の幅方向において互いに向かい合い前記装着方向に延在する一対の下部ガイド面を画成するコネクタ側ガイド面２４が設けられている。この一対のコネクタ側ガイド面２４は、ガイド溝１８の延在方向と直交する方向、すなわちガイド溝１８の幅方向におけるアクセサリー側コネクタ４０の位置決めを行うものである。
言い換えると、図１５乃至図１７に示すように、一対の係止板２０の第１凹部２００２と第１凸部２００４の下方の空間部２２のガイド溝１８の幅方向の両側に、ガイド溝１８の幅方向におけるアクセサリー側コネクタ４０の位置決めを行なうと共にアクセサリー側コネクタ４０をガイド溝１８の長さ方向に案内するコネクタ側ガイド面２４が設けられている。
【００２８】
図１６に示すように、電子機器側コネクタ１０の電気接続用の接片１６は、空間部２２の底部で一対のコネクタ側ガイド面２４の間の内側部材１２の箇所に複数設けられている。
より詳細に説明すると、空間部２２の底部を形成する内側部材１２の箇所で一対のコネクタ側ガイド面２４の間の箇所には、底面１２０２と、底面１２０２の端部から次第に起立する傾斜面１２０４と、傾斜面１２０４の端部から底面１２０２と平行して延在する平坦な接片取り付け面１２０６とが設けられ、これら底面１２０２、傾斜面１２０４、接片取り付け面１２０６は前記装着方向に沿って順番に並べられている。
また、第２凹部２００６と第２凸部２００８の下方の内側部材１２箇所に底面１２０２と平行な平坦な上部ガイド面を画成する中間面１２０７が設けられ、言い換えると、一対の係止板２０の第２凹部２００６と第２凸部２００８で挟まれたガイド溝１８の下方の空間部２２の底部を形成する中間面１２０７が設けられ、この中間面１２０７は、第１凹部２００２と第１凸部２００４の下方で両側板部１４Ｂに沿った内側部材１２の箇所に延在している。
本実施の形態では、アクセサリー側コネクタ４０が空間部２２に挿入される際に、アクセサリー側コネクタ４０の先端面５００６（図２０参照）が中間面１２０７に当て付けられることで、空間部２２内においてアクセサリー側コネクタ４０の前記挿入方向の位置が規制されるように、言い換えると位置決めがなされるように構成されている。
図１７（Ａ）、（Ｂ）に示すように、接片取り付け面１２０６は、中間面１２０７よりも下方において一対の係止板２０の第１凸部２００４で挟まれたガイド溝１８の下方の空間部２２の底部を形成している。
そして、電子機器側コネクタ１０の複数の接片１６は、傾斜面１２０４と接片取り付け面１２０６との境の部分から前記装着方向に間隔をおいた接片取り付け面１２０６の箇所に、互いに間隔を置いてガイド溝１８の幅方向に沿って直線状に並べられて設けられている。言い換えると、図１７（Ａ）に示すように、複数の接片１６は、中間面１２０７寄りの接片取り付け面１２０６の箇所に設けられている。
【００２９】
電子機器側コネクタ１０の複数の接片１６について詳細に説明すると、図１８（Ｆ）に示すように、各接片１６は、細幅で細長状の金属板材が屈曲されて構成され、それらの一端１６Ａが開口を介して接片取り付け面１２０６の上方に露出して配置され、図１７（Ａ）に示すように、各接片１６の一端１６Ａが接片取り付け面１２０６上に露出する部分は長手方向が前記装着方向と一致して直線状に延在している。
電子機器側コネクタ１０の複数の接片１６の一端１６Ａは、図１７（Ａ）に示すように、前記装着方向における端部がガイド溝１８の幅方向において直線上に位置するように並べられ、複数の接片１６のうちグランド電位に接続されるグランド接片１６０２は、その一端１６Ａが他の信号接片１６０４に比較して長手方向の寸法が大きく形成されており、グランド接片１６０２の一端１６Ａの前記取り外し方向における端部は他の信号接片１６０４の端部よりも突出している。言い換えると、複数の接片１６のうちグラウンド用の接片１６０２は他の接片１６よりも、ガイド溝１８の長さ方向で第１凸部２００４から第１凹部２００２に向かう方向に長く延在している。なお、図１７（Ａ）において符号１６０５は電源用の接片を示している。
このような各接片１６０２，１６０４、１６０５のレイアウト（配置）は、アクセサリー側コネクタ４０を電子機器側コネクタ１０に装着する際に、図２０に示すように、アクセサリー側コネクタ４０の接片４８のうちグランド電位に接続されるグランド接片４８０２が、他の信号接片４８０４に先行して、電子機器側コネクタ１０のグランド接片１６０２に接続させ、アクセサリー機器２００と電子機器１００の基準電位を最初にグランド電位にさせることで静電ノイズの影響を受けにくくするとともに、アクセサリー機器および電子機器の動作の安定化を図る目的でなされている。
また、本実施の形態では、２つのグランド接片１６０２が複数の接片１６のガイド溝１８の幅方向の両側に設けられている。
このような各接片１６０２，１６０４、１６０５のレイアウト（配置）は、アクセサリー側コネクタ４０がガイド溝１８の延在方向に対して傾斜して挿入された場合であっても、幅方向両側のグランド接片１６０２の何れか一方が、これらグランド接片１６０２に対応するアクセサリー側コネクタ４０のグランド接片４８０２（図２０参照）の何れかに接触することで、アクセサリー機器２００と電子機器１００の基準電位をより確実にグランド電位にさせ、静電ノイズの影響を受けにくくするとともに、アクセサリーおよび電子機器の動作のより一層の安定化を図る目的でなされている。
また、図１８（Ｆ）に示すように、各接片１６の一端１６Ａを除く部分は内側部材１２内部に配設され、接片１６の他端１６Ｂは、内側部材１２の前記装着方向の端部に開口された孔部１２０８内に導かれている。
図１７（Ｃ）、図１８（Ｅ），（Ｆ）に示すように、内側部材１２の底部および外側部材１４の底板部１４Ａには、孔部１２０８に通じるように欠部１４０２が設けられ、図２６に示すように、電子機器１００に設けられたフレキシブル基板１５０の接続端１５２が欠部１４０２を介して孔部１２０８に挿入され孔部１２０８内で接続端１５２が各接片１６の他端１６Ｂに電気的に接続されるとともに、各他端１６Ｂの弾性により、接続端１５２が各他端１６Ｂと孔部１２０８を構成する壁面との間に挟持される。
これにより、フレキシブル基板１５０を介して電子機器１００内部の電気回路から各接片１６にアクセサリー機器２００を駆動するための電気信号が供給され、あるいは、各接片１６から電子機器１００内部の電気回路にアクセサリー機器２００からの電気信号が供給されるように構成されている。
この際、図２６に示すように、外側部材１４の底板部１４Ａが電子機器１００の凹部１１２の底面に取着される場合、外側部材１４に欠部１４０２が設けられているため、フレキシブル基板１５０を欠部１４０２内で屈曲させて電子機器１００の内部に導くことができる。
このため、上方から見てフレキシブル基板１５０が外側部材１４の輪郭の内側、すなわち電子機器側コネクタ１０の輪郭の内側に位置することになり、電子機器側コネクタ１０の外方にフレキシブル基板１５０を引き回すためのスペースを確保する必要がなく電子機器側コネクタ１０を取り付けるために必要なスペースを縮小する上で有利となる。
なお、図１８（Ｆ）において符号１２１１は外側部材１４の底面に突設された位置決め用のボスであり、このボス１２１１を電子機器１００の凹部１１２（図１参照）の底面に設けられた孔に係合させることでアクセサリー側コネクタ４０の位置決めを行うようになっている。
【００３０】
本実施の形態では、図１６に示すように、傾斜面１２０４は、アース電位に接続される接片１６０２に対応する傾斜面１２０４Ａと、他の接片１６０４、１６０５に対応する傾斜面１２０４Ｂとで構成されており、これら傾斜面１２０４Ａと傾斜面１２０４Ｂとの間に段差が形成されている。これは、傾斜面１２０４Ｂ近傍の底面１２０２箇所に、電子機器側コネクタ１０を撮像装置１００の凹部１１２の底部に取着するためのねじを挿通する挿通孔１２０３Ａと、前記ねじの頭部を収容する凹部１２０３Ｂが形成されているため、この凹部１２０３Ｂを避けて傾斜面１２０４Ｂを傾斜面１２０４Ａに比べて前記装着方向にずらして形成したためである。
傾斜面１２０４はアクセサリー側コネクタ４０の接片４８を円滑に案内する機能を有している。
なお、各接片１６が、傾斜面１２０４と接片取り付け面１２０６との境の部分から前記装着方向に間隔をおいた接片取り付け面１２０６の箇所に設けられているのは、アクセサリー側コネクタ４０を電子機器側コネクタ１０に挿入して前記装着方向に移動させる際、アクセサリー側コネクタ４０の接片４８が前記間隔分だけ接片取り付け面１２０６と摺接することにより、アクセサリー側コネクタ４０の接片４８が接片１６に対して安定した状態で接触させるためであり、したがって、接片取り付け面１２０６上において、傾斜面１２０４と接片取り付け面１２０６との境の部分から各接片１６の前記取り外し方向の端部までの箇所は、アクセサリー側コネクタ４０の接片４８の滑走面として機能する。
【００３１】
また、空間部２２の底部を形成する内側部材１２の箇所で一対のコネクタ側ガイド面２４の間の箇所に、具体的には中間面１２０７の下方には電子機器側コネクタ１０の接片１６を覆うカバー２６が前記装着方向に移動可能に設けられている。
そして、カバー２６を、電子機器側コネクタ１０の接片１６を覆う閉塞位置（図２、図２５）に付勢するスプリング２６０２（図１７（Ａ）参照）が設けられ、カバー２６は、前記装着方向への移動時にアクセサリー側コネクタ４０の軸部５０の箇所である起立面６０（図２０参照）に当接して軸部５０により接片１６を開放する開放位置（図３、図２６）に移動されるように構成されている。
また、前記取り外し方向における中間面１２０７の端部には、ガイド溝１８の幅方向に沿って位置決め面を画成する当接面１２１０が延在形成されている。
本実施の形態では、アクセサリー側コネクタ４０が空間部２２に挿入される際に、アクセサリー側コネクタ４０の起立面６０（図２０参照）が当接面１２１０に当て付けられることで、空間部２２内においてアクセサリー側コネクタ４０の前記装着方向の位置が規制されるように、言い換えると位置決めがなされるように構成されている。当接面１２１０は、ガイド溝１８の長さ方向で第１凸部２００４から第１凹部２００２の方向に臨んでいる。
【００３２】
図１５、図１６に示すように、内側部材１２の底面１２０２におけるガイド溝１８の幅方向両側箇所には、言い換えると、接片取付面１２０６のガイド溝１８の幅方向の両側の箇所に、コネクタ側ガイド面２４に沿って延在する凹部１２２０が設けられ、アクセサリー側コネクタ４０の挿入時にこの凹部１２２０にガイド壁５８（図２０参照）の先端が収容される。
凹部１２２０の前記取り外し方向の端部には凹部１２２０の前記取り外し方向の端部を閉塞する壁部１２２２が設けられている。
これにより、アクセサリー側コネクタ４０の軸部５０（図２０参照）を電子機器側コネクタ１０の前記取り外し方向に臨む箇所から前記装着方向に挿入しようとしても、軸部５０のガイド壁５８が壁部１２２２に当接して前記装着方向への挿入が禁止されるように構成されている。
したがって、アクセサリー側コネクタ４０の軸部５０を電子機器側コネクタ１０の前記取り外し方向に臨む箇所から前記装着方向に挿入するといった誤った操作を禁止することができるように構成されている。
これにより、アクセサリー側コネクタ４０を電子機器側コネクタ１０に装着する際に、アクセサリー側コネクタ４０をガイド溝１８の間から空間部２２に挿入するという操作のみを許容することができるので、アクセサリー機器２００を電子機器１００に装着する際の操作方法を１つに限定でき使い勝手を向上させることができるように構成されている。
【００３３】
次にアクセサリー機器２００について説明する。
図１９に示すように、本実施の形態においてアクセサリー機器２００は電子機器１００に比較して外形が小さな小型カメラであり、この小型カメラは例えば電子機器１００の撮影と同時に該電子機器１００とは異なった方向の被写体や、電子機器１００とは異なった撮影倍率で電子機器１００と同じ被写体や異なった被写体の撮影を行うようにしたものである。
アクセサリー機器２００は、筐体を構成する直方体状のケース２０２を有し、ケース２０２の前面には、撮影光学系２０４が組み込まれた鏡筒２０６が前方に臨んで設けられている。
ケース２０２の内部には、撮影光学系２０４によって導かれた被写体像を撮像する撮像素子、該撮像素子によって生成された撮像信号を処理して後述するアクセサリー側コネクタ４０へ出力する信号処理部などが収容されている。
ケース２０２の下面には、下方に突出する円柱状の連結部２０８がケース２０２と一体的に設けられている。
【００３４】
アクセサリー側コネクタ４０は、図１９に示すように、連結部２０８の下部に該連結部２０８と同軸上で回転可能に結合された円柱状の軸部材４２を有し、符号２１０は連結部２０８に対して軸部材４２の回転を固定する固定ねじである。
図２０に示すように、軸部材４２の長さ方向の先部（下端）には断面形状が軸部材４２より小さい角柱状で軸部材４２と同軸上で延在する軸部材からなる軸部５０が設けられている。なお、軸部５０の中心軸に対して直交する２方向のうちの一方の方向が軸部５０の幅方向であり、前記２方向のうちの他方の方向が軸部５０の前後方向（前記装着方向および前記取り外し方向）である。
前記幅方向における軸部５０の先部の両側の側面は、ガイド溝１８に対して円滑に挿脱できるように、ガイド溝１８の最も内側の縁を構成する一対の第１凸部２００４の先端間の寸法および一対の第２凸部２００８の先端間の寸法よりも僅かに小さい寸法で形成されている。
軸部５０の先部の両側の側面には、電子機器側コネクタ１０の第１凹部２００２から空間部２２に挿入され空間部２２内で前記装着方向に沿って移動可能な第１係止片５００２と、電子機器側コネクタ１０の第２凹部２００６から空間部２２に挿入され空間部２２内で前記装着方向に沿って移動可能な第２係止片５００４とが同一面上で前記前後方向に互いに間隔をおいて突出形成されている。また、第１係止片５００２と第２係止片５００４の間に残存した挿入部５０の先部の側面部分により凹部５００５が形成されている。
本実施例では、第１、第２係止片５００２，５００４の前記装着方向の延在長さは軸部５０の前記装着方向の寸法の約１／３程度に形成されている。
【００３５】
図１９〜図２２に示すように、軸部５０の先部の両側の側面で第１係止片５００２と第２係止片５００４との間の箇所にはばね片５２がそれぞれ湾曲状に突出しており、ばね片５２は薄板状のばね鋼板が軸部５０の内部に組み込まれることで配設されている。
ばね片５２は、第１係止片５００２および第２係止片５００４よりも軸部５０の基部寄りに変位した箇所に設けられ、言い換えると、ばね片５２は凹部５００５が設けられた挿入部５０の両側面の箇所よりもケース２０２方向に変位した箇所に、それぞれ側面に没入可能で側面から突出する方向に付勢されて設けられている。
ばね片５２は、第１係止片５００２が第１凹部２００２を通って空間部２２に位置し第２係止片５００４が第２凹部２００６を通って空間部２２に位置した状態で第１凹部２００２内に位置し、空間部２２内で第１係止片５００２および第２係止片５００４が第１凸部２００４と第２凸部２００８の下面方向に移動する際に第１凸部２００４の先端に弾接し、かつ、第１係止片５００２および第２係止片５００４が第１凸部２００４と第２凸部２００８の下面に位置した状態で第２凹部２００６内に位置し、アクセサリー機器２００を装着操作するユーザーにクリック感を与えるように構成されている。本実施例では、空間部２２で第１係止片５００２および第２係止片５００４が前記装着方向に移動し第１凸部２００４と第２凸部２００８の下面に位置した状態で第１凸部２００４寄りの第２凹部２００６の端部に弾接し、この位置にアクセサリー機器２００を仮止めするように構成されている。
【００３６】
また、軸部５０の先端には上部ガイド面を画成する先端面５００６が設けられ、先端面５００６は軸部５０が空間部２２に挿入される際に電子機器側コネクタ１０の中間面１２０７に当接し、空間部２２内においてアクセサリー側コネクタ４０の前記挿入方向の位置が規制されるように、言い換えると位置決めがなされるように構成されている。
先端面５００６は、図２０に示すように、挿入部５０の両側面の先部の凹部５００５と第２係止片５００４が設けられた挿入部５０の部分の挿入部５０の長さ方向でケース２０２から離れる方向である挿入部５０の先方の箇所に、挿入部５０の長さ方向と直交する面上を延在し電子機器側コネクタ１０に対して挿入部５０の長さ方向の位置決めを行なうと共に電子機器側コネクタ１０に対して挿入部が前記前後方向にガイドされる面である。
本実施の形態では、両側の第１係止片５００２の基端から互いに対向するように一対のガイド壁５８が軸部５０の長手方向（前記挿入方向）に突出形成され、一対のガイド壁５８の外側面は一対のコネクタ側ガイド面２４に摺動可能な下部ガイド面を画成するアクセサリーガイド面５４として形成され、アクセサリーガイド面５４がコネクタ側ガイド面２４に接触することで、空間部２２内におけるガイド溝１８の幅方向におけるアクセサリー側コネクタ４０の位置決めが行われる。
また、本実施の形態では、アクセサリー側コネクタ４０の軸部５０が電子機器側コネクタ１０の空間部２２に挿入される際に、空間部２２に対する軸部５０の前記装着方向に沿った向きが逆向きであった場合には、アクセサリー側コネクタ４０の一対のガイド壁５８が電子機器側コネクタ１０の中間面１２０７に当接され、逆向きでの挿入が禁止されている。
軸部５０の先端で一対のガイド壁５８の基部の間の箇所に先端面５００２と平行する平坦な接片取り付け面５６が設けられ、接片取り付け面５６は、先端面５００６よりも先端方向に変位しており、接片取り付け面５６と先端面５００６との間にはそれらの面５６、５００６に直交する位置決め面を画成する起立面６０が形成されている。
したがって、図２０に示すように、接片取り付け面５６は、第１係止片５００２が設けられた挿入部５０の部分の先方の箇所に、先端面５００６よりも挿入部５０の長さ方向の先方に位置して先端面５００６と平行している。
また、図２０に示すように、アクセサリーガイド面５２は、接片取り付け面５６の前記幅方向の両側の箇所に位置している。
また、起立面６０は、前記前後方向で接片取り付け面５６から先端面５００６方向に臨んでいる。
アクセサリー側コネクタ４０の複数の接片４８は接片取り付け面５６に設けられ、一対のガイド壁５８方向に互いに間隔を置いて直線状に並べられて配置されている。
起立面６０は、軸部５０が電子機器側コネクタ１０の空間部２２に挿入され前記装着方向へ移動される際にカバー２６の端面に当接するように構成されている。
また、起立面６０は、後述するように、電子機器側コネクタ１０の当接面１２１０に当接し、電子機器側コネクタ１０に対する挿入部５０の前記装着方向における位置決めを行なう。
また、軸部５０が電子機器側コネクタ１０の空間部２２に挿入され空間部２２内で前記装着方向に移動されることで第１係止片５００２および第２係止片５００４が第１凸部２００４と第２凸部２００８の下面に位置し、この状態で、アクセサリー側コネクタ４０の複数の接片４８と電子機器側コネクタ１０の複数の接片１６が接触するように構成されている。
【００３７】
アクセサリー側コネクタ４０の複数の接片４８について詳細に説明すると、図２４に示すように、各接片４８は、細幅で細長状の金属板材が屈曲されて構成され、それらの一端４８Ａが接片取り付け面５６から下方に（軸部５０の延在方向または前記挿入方向に）突出し、本実施例では、ガイド溝１８の幅方向における接片取り付け面５６の両側からそれぞれガイド壁５８が突出されており、複数の接片４８の一端４８Ａは両側のガイド壁５８の先端よりも軸部５０の基端側に変位した箇所に位置している。具体的に説明すると、各接片４８は、その一端４８Ａが接片取り付け面５６の下方に向かって常時突出しており、一端４８Ａが上方に押圧された場合に一端４８Ａが接片取り付け面５６内に没入するように弾性変形可能に構成されている。
各接片４８は、グランド電位に接続されるグランド接片４８０２と、他の信号接片４８０４とを含み、グランド接片４８０２は電子機器側コネクタ１０のグランド接片１６０２に接続され、他の信号接片４８０４は電子機器側コネクタ１０の他の信号接片１６０２に接続されるように構成されている。なお、図２１において符号４８０５は電源用の接片を示し、電源用の接片４８０５は、電子機器側コネクタ１０の電源用の接片１６０５に接続されるように構成されている。
また、図２４に示すように、各接片４８の一端４８Ａを除く部分は軸部５０の内部に配設され、接片４８の他端４８Ｂは、アクセサリー機器２００に設けられた配線部材２０１に電気的に接続される。
これにより、各接片４８および配線部材２０１を介してアクセサリー機器２００内部の電気回路にアクセサリー機器２００を駆動するための電気信号が供給され、あるいは、配線部材２０１を介してアクセサリー機器２００内部の電気回路からの電気信号が各接片４８に供給されるように構成されている。
【００３８】
軸部５０の先部がガイド溝１８に挿入された状態で係止板２０の上方の軸部５０箇所に回転可能に環状の操作リング４４が設けられている。本実施例では、軸部材４２と軸部５０との間の箇所に溝が設けられ、この溝に操作リング４４は回転可能に配設されている。
軸部５０の両側に操作リング４４の回転操作により軸部５０の長さ方向に移動する、すなわち上下方向に移動する締め付けブロック７０が設けられている。操作リング４４の回転操作により締め付けブロック７０を上下方向に移動する機構として、従来公知の様々な機構が採用可能であり、例えば、締め付けブロック７０を軸部５０の長さ方向に移動可能に組み込み、締め付けブロックの表面に形成した雄ねじを、操作リング４４の雌ねじに螺合する構造が採用可能である。
締め付けブロック７０は、軸部５０の延在方向と平行に延在する縦板部７００２と、縦板部７００２の下端に設けられ第1係止片５００２および第２係止片５００４が第１凸部２００４と第２凸部２００８の下面に当接した状態で第１凸部２００４と第２凸部２００８の上面に当接し第1係止片５００２および第２係止片５００４と協働して第１凸部２００４と第２凸部２００８を締め付け固定する締め付け部７００４と、第１凸部２００４と第２凸部２００８の間の第２凹部２００６に挿入され軸部５０のガイド溝１８の延在方向に沿った移動を阻止する移動阻止部７００６とを有している。
締め付け部７００４はガイド溝１８の延在方向に長辺を有する直方体状を呈し、縦板部７００２よりも断面が大きい寸法で形成されている。
移動阻止部７００６は締め付け部７００４の下面から直方体状に膨出形成され、第１凸部２００４と第２凸部２００８の間に挿入される寸法、すなわち第２凹部２００６に挿入される寸法で形成されている。
【００３９】
次に電子機器側コネクタ１０およびアクセサリー側コネクタ４０の使用方法について説明する。
電子機器１００にアクセサリー機器２００を装着する場合には、蓋１１４を取り外して電子機器側コネクタ１０をケース１０２の外部に露出させる。
そして、図２７、図２８に示すように、アクセサリー側コネクタ４０の先端面５００６を電子機器側コネクタ１０の中間面１２０７に臨ませ、アクセサリー側コネクタ４０の第１係止片５００２を電子機器側コネクタ１０の第１凹部２００２に臨ませ、かつ、アクセサリー側コネクタ４０の第２係止片５００４を電子機器側コネクタ１０の第２凹部２００６に臨ませ、この状態でアクセサリー側コネクタ４０の軸部５０を電子機器側コネクタ１０のガイド溝１８の間に挿入し、これによりアクセサリー側コネクタ４０の両側のアクセサリーガイド面５２がコネクタ側ガイド面２４に接触し、空間部２２内におけるガイド溝１８の幅方向におけるアクセサリー側コネクタ４０の位置決めが行われる。
このようなアクセサリー側コネクタ４０の挿入により、図２５に示すように、アクセサリー側コネクタ４０の第１係止片５００２は第１凹部２００２を通って空間部２２に位置し、第２係止片５００４は第２凹部２００６を通って空間部２２に位置し、また、アクセサリー側コネクタ４０の先端面５００６が電子機器側コネクタ１０の中間面１２０７に当接し、アクセサリー側コネクタ４０のばね片５２が第１凹部２００２内に位置する。
【００４０】
次いで、図２６に示すように、軸部５０を前記装着方向に移動させると、ばね片５２は、軸部５０の前記装着方向への移動に伴い第１凸部２００４の先端に弾接して軸部５０の側面に僅かに没入され、第１凸部２００４の先端に弾接しつつ軸部５０と一体に移動する。
やがて、第１係止片５００２および第２係止片５００４が第１凸部２００４と第２凸部２００８の下面に位置した状態でばね片５２は第２凹部２００６内に突出し、アクセサリー側コネクタ４０の起立面６０が電子機器側コネクタ１０の当接面１２１０に当接し、前記装着方向における位置決めがなされる。本実施例では、第１係止片５００２および第２係止片５００４が第１凸部２００４と第２凸部２００８の下面に位置した状態で、ばね片５２は、第１凸部２００４寄りの第２凹部２００６の端部に弾接する。
そして、軸部５０の前記装着方向への移動により、アクセサリー側コネクタ４０の起立面６０により電子機器側コネクタ１０のカバー２６が前記開放位置に移動されるとともに、アクセサリー側コネクタ４０の各接片４８が傾斜面１２０４および接片取り付け面１２０６に摺接したのち電子機器側コネクタ１０の各接片１６にそれぞれ接続され電気的に導通する。
次いで、操作リング４４を回動させると、締め付けブロック７０が下降し、移動阻止部７００６が第１凸部２００４と第２凸部２００８の間の第２凹部２００６に挿入され、軸部５０のガイド溝１８の延在方向に沿った移動が阻止される。
また、締め付けブロック７０の下降に伴い、図２９、図３０に示すように、第1係止片５００２および第２係止片５００４が第１凸部２００４と第２凸部２００８の下面に当接するとともに、締め付け部７００４の下面が第１凸部２００４と第２凸部２００８の上面に当接し、第1係止片５００２および第２係止片５００４と協働して第１凸部２００４と第２凸部２００８を締め付け固定し、アクセサリー機器２００が電子機器１００に装着される。
これによりアクセサリー機器２００による撮影と、電子機器１００による撮影とを同時に行うことが可能となる。なお、アクセサリー機器２００で生成された撮像信号はアクセサリー側コネクタ４０から電子機器側コネクタ１０を介して電子機器１００に伝達され、電子機器１００では伝達された前記撮像信号に対して必要な信号処理を行う。
【００４１】
電子機器１００からアクセサリー機器２００を取り外す場合には、操作リング４４を回動させることで、締め付けブロック７０を上昇させ、移動阻止部７００６を第２凹部２００６から上方に抜き出し、また、締め付け部７００４を上昇させ、第1係止片５００２および第２係止片５００４との協働による第１凸部２００４と第２凸部２００８の締め付け固定を解除する。
次いでアクセサリー側コネクタ４０の軸部５０を前記取り外し方向に動かすと、第１係止片５００２と第２係止片５００４が空間部２２に位置した状態で移動され、第１係止片５００２は第１凹部２００２の下方に位置し、第２係止片５００４は第２凹部２００６の下方に位置し、ばね片５２は、第２凹部から第１凸部の先端に弾接して軸部５０の側面に僅かに没入され、第１凸部２００４の先端に弾接しつつ軸部５０と一体に移動し、第１凹部２００２内に突出する。軸部５０の前記取り出し方向への移動により、アクセサリー側コネクタ４０の各接片４８と電子機器側コネクタ１０の各接片１６とが離間され電気的な導通が解除され、カバー２６は開放位置から閉塞位置に復帰される。
この状態でアクセサリー側コネクタ４０の軸部５０を前記取り出し方向に動かすと、アクセサリー側コネクタ４０の第１係止片５００２は第１凹部２００２を通り、第２係止片５００４は第２凹部２００６を通って空間部２２から上方に移動され、アクセサリー側コネクタ４０の軸部５０が電子機器側コネクタ１０から離間され、アクセサリー機器２００が電子機器１００から取り外される。
【００４２】
本実施の形態によれば、電子機器側コネクタ１０にアクセサリー側コネクタ４０を装着する際に、アクセサリー側コネクタ４０の第１係止片５００２は第１凹部２００２を通り、第２係止片５００４は第２凹部２００６を通って空間部２２に位置させたのち、アクセサリー側コネクタ４０の軸部５０を前記装着方向に動かすことで第１係止片５００２を第１凸部２００４の下面に位置させ、第２係止片５００４を第２凸部２００８の下面に位置させた状態で電子機器側コネクタ１０の複数の接片１６にアクセサリー側コネクタ４０の複数の接片４８が接触する。
ここで、図２５、図２６を参照してアクセサリー側コネクタ４０を電子機器側コネクタ１０に装着するために必要なスペースの前記装着方向の寸法Ｓを考えると、本実施例では、第１、第２係止片５００２，５００４の前記装着方向の延在長さが軸部５０の前記装着方向の寸法の約１／３であるため、前記寸法Ｓは前記装着方向に沿ったアクセサリー側コネクタ４０の寸法（軸部５０の寸法）Ｌと、第１、第２係止片５００２，５００４の前記装着方向の寸法約Ｌ／３との和、すなわち寸法Ｓは約（Ｌ＋Ｌ／３）で済むことになる。
したがって、アクセサリー側コネクタ４０を電子機器側コネクタ１０に装着するために必要なスペースを、前記装着方向に沿ったアクセサリー側コネクタ４０の寸法と、第２係止片５００４の前記装着方向の寸法との和で済むことになる。
これに対して従来のようにアクセサリー側コネクタ４０を電子機器側コネクタ１０の輪郭の外側から装着する場合には、前記寸法Ｓは前記装着方向に沿ったアクセサリー側コネクタ４０の寸法Ｌの２倍である２Ｌ必要となる。
したがって、従来に比較して電子機器側コネクタ１０の周囲にアクセサリー側コネクタ４０を装着させるための広いスペースを確保する必要がなく、電子機器１００およびアクセサリー機器２００の小型化を図る上で、あるいは、電子機器１００およびアクセサリー機器２００のデザイン性を向上させる上で極めて有利となる。
また、操作リング４４を回動させることで、締め付け部７００４が第１凸部２００４と第２凸部２００８の上面に当接し第1係止片５００２および第２係止片５００４と協働して第１凸部２００４と第２凸部２００８を締め付け固定するとともに、移動阻止部７００６が第１凸部２００４と第２凸部２００８の間の第１凹部２００６に挿入され軸部５０のガイド溝１８の延在方向に沿った移動を阻止するので、アクセサリー側コネクタ４０を電子機器側コネクタ１０に対して強固に装着することができる。
したがって、ガイド溝１８の延在方向に沿った外力がアクセサリー側コネクタ４０に加わった場合に、アクセサリー側コネクタ４０が電子機器側コネクタ１０から脱落することを確実に防止する上で有利となる。
【００４３】
また、アクセサリー側コネクタ４０の第１係止片２００４に係止し第１係止片２００４により挟持される電子機器側コネクタ１０の第１凸部２００４を、すなわちアクセサリー側コネクタ４０を固定するための第１凸部２００４を、アクセサリー側コネクタ４０のばね片５２が弾接することでクリック感を発生させる部材として共用したので、部品点数の増加を抑制できコストダウンを図る上で有利となる。
また、アクセサリー側コネクタ４０の接片４８と電子機器側コネクタ１０の接片１６とが接続した状態で、ばね片５２が第１凸部２００４の端部に弾接するようにし、アクセサリー側コネクタ４０の仮止めを行うようにしたので、アクセサリー側コネクタ４０を固定するための第１凸部２００４を、アクセサリー側コネクタ４０の仮止めを行う部材として共用でき部品点数の増加を抑制できコストダウンを図る上で有利となる。
【００４４】
（第４の実施の形態）
次に本発明の第４の実施の形態について図面を参照して説明する。
図３１（Ａ）は第４の実施の形態のアクセサリー機器の正面図、（Ｂ）は（Ａ）のＢ矢視図、（Ｃ）は（Ａ）のＣ矢視図、（Ｄ）は（Ａ）のＤ矢視図、図３２（Ｅ）は図３１（Ａ）のＥ矢視図、（Ｆ）は（Ｅ）のＦ矢視図である。
なお、以下の実施の形態では、第３の実施の形態と同様のアクセサリー側コネクタ４０を備えており、第３の実施の形態と同様の電子機器側コネクタに装着可能に装着されるものである。
第４の実施の形態ではアクセサリー機器２００が被写体に対して補助光を照射する照明装置３０２である。照明装置３０２は筐体３０４を有し、筐体３０４の内部には光源（不図示）が設けられ、筐体３０４の前面３０６の窓３０８から前記光源の光が照射されるように構成されている。
第４の実施の形態では、第３の実施の形態の連結部２０８、軸部材４２が省略されており、筐体３０４の下面から軸部５０が直接突設されている。
操作リング４４の回転操作により締め付けブロック７０が昇降し、第１係止片５００２、第２係止片５００４、締め付け部７００４、移動阻止部７００６などを介してアクセサリー機器２００が電子機器側コネクタに装着される点は第３の実施の形態と同様であり、第３の実施の形態と同様の効果が奏される。
【００４５】
（第５の実施の形態）
次に本発明の第５の実施の形態について図面を参照して説明する。
図３３（Ａ）は第５の実施の形態のアクセサリー機器の正面図、（Ｂ）は（Ａ）のＢ矢視図、（Ｃ）は（Ａ）のＣ矢視図、（Ｄ）は（Ａ）のＤ矢視図、図３４（Ｅ）は図３３（Ａ）のＥ矢視図、（Ｆ）は（Ｅ）のＦ矢視図である。
第５の実施の形態ではアクセサリー機器２００が被写体に対して閃光を照射するフラッシュ装置４０２である。
照明装置４０２は筐体４０４を有し、筐体４０４の内部には閃光を発する光源（不図示）と前記閃光の光量を調整するために被写体周囲の照度を検出する調光センサ（不図示）とが設けられている。前記光源は筐体４０４の前面４０６の２つの窓４０８のうち下方の窓４０８を介して閃光を照射し、前記調光センサは上方の窓４０８を介して前記照度の検出を行う。
操作リング４４の回転操作により締め付けブロック７０が昇降し、第１係止片５００２、第２係止片５００４、締め付け部７００４、移動阻止部７００６などを介してアクセサリー機器２００が電子機器側コネクタに装着される点は第３の実施の形態と同様であり、第３の実施の形態と同様の効果が奏される。
【００４６】
（第６の実施の形態）
次に本発明の第６の実施の形態について図面を参照して説明する。
図３５（Ａ）は第６の実施の形態のアクセサリー機器の正面図、（Ｂ）は（Ａ）のＢ矢視図、（Ｃ）は（Ａ）のＣ矢視図、図３６（Ｄ）は図３５（Ｃ）のＤ矢視図、（Ｅ）は図３６（Ｃ）のＥ矢視図である。
第６の実施の形態ではアクセサリー機器２００がマイクロフォン５０２である。
マイクロフォン５０２は横長のケース５０４を有し、ケース５０４の前端５０６に音声を電気信号に変換するセンサ（不図示）が設けられている。
ケース５０４の後端下部に基台５０８が突設され、この基台５０８の下部に軸部５０が突設されている。
操作リング４４の回転操作により締め付けブロック７０が昇降し、第１係止片５００２、第２係止片５００４、締め付け部７００４、移動阻止部７００６などを介してアクセサリー機器２００が電子機器側コネクタに装着される点は第３の実施の形態と同様であり、第３の実施の形態と同様の効果が奏される。
【００４７】
なお、上述の第１乃至第６の実施の形態から次のような発明を抽出することができる。
電子機器に設けられ電源用または信号授受用の接片を有する電子機器側コネクタと、前記電子機器に装着されるアクセサリーに設けられ電源用または信号授受用の接片を有するアクセサリー側コネクタとを備えるアクセサリーシュー装置であって、
前記電子機器側コネクタは、ガイド溝が形成された係止板と、係止板の下面に臨むように設けられた空間部とを備え、
前記ガイド溝を構成する前記係止板の箇所で互いに対向する一対の縁部には、前記ガイド溝の延在方向に第１凸部と、第１凹部と、第２凸部と、第２凹部とがこれらの順番でそれぞれ対向して設けられ、
前記アクセサリー側コネクタは、前記接片が設けられ前記ガイド溝を通りその先部が前記空間部に挿入される挿入部を備え、
前記挿入部の先部の両側には、前記第１凹部から前記空間部に挿入され前記空間部内で前記ガイド溝の延在方向に沿って移動可能な第１係止片と、前記第２凹部から前記空間部に挿入され前記空間部内で前記ガイド溝の延在方向に沿って移動可能な第２係止片とが設けられ、
前記挿入部の先部で前記第１係止片と第２係止片との間の箇所には、前記第１係止片が前記第１凹部を通って前記空間部に位置し前記第２係止片が第２凹部を通って前記空間部に位置した状態で第１凹部内に位置し、前記空間部内で第１係止片および第２係止片が前記第１凸部と第２凸部の下面方向に移動する際に前記第１凸部の先端に弾接し、かつ、前記第１係止片および第２係止片が前記第１凸部と第２凸部の下面に位置した状態で前記第２凹部内に位置するばね片が設けられ、
前記第１係止片および第２係止片が前記第１凸部と第２凸部の下面に位置した状態で、前記アクセサリー側コネクタの接片と前記電子機器側コネクタの接片が接触するように構成されている、
ことを特徴とするアクセサリーシュー装置。
上記発明において、前記第１係止片および第２係止片が前記第１凸部と第２凸部の下面に位置した状態で前記ばね片は、前記第１凸部寄りの第２凹部の端部に弾接することを特徴とする。
上記発明において、前記電子機器側コネクタと前記アクセサリー側コネクタとにわたって、前記第１係止片および第２係止片が前記第１凸部と第２凸部の下面に位置した状態で前記アクセサリー側コネクタを前記電子機器側コネクタに固定する固定手段が設けられていることを特徴とする。
上記発明において、前記挿入部の先部が前記ガイド溝に挿入された状態で前記係止板上に位置する前記挿入部の基部にねじ結合され、前記第１凸部と前記第２凸部とを、前記第１係止片および前記第２係止片と協働して締め付け固定する締め付けリングが設けられ、前記固定手段は、前記第１係止片、前記第２係止片、前記第１凸部、前記第２凸部、前記締め付けリングにより構成されていることを特徴とする。
【００４８】
また、次のような発明を抽出することができる。
電源用または信号授受用の接片を有するアクセサリー側コネクタを備え電子機器の電子機器側コネクタに結合されるアクセサリーであって、
前記電子機器側コネクタは、ガイド溝が形成された係止板と、係止板の下面に設けられた空間部とを備え、前記ガイド溝を構成する前記係止板の箇所で互いに対向する一対の縁部には、前記ガイド溝の延在方向に第１凸部と、第１凹部と、第２凸部と、第２凹部とがこれらの順番でそれぞれ対向して設けられ、
前記アクセサリー側コネクタは、前記接片が設けられ前記ガイド溝を通りその先部が前記空間部に挿入される挿入部を備え、
前記挿入部の先部の両側には、前記第１凹部から前記空間部に挿入され前記空間部内で前記ガイド溝の延在方向に沿って移動可能な第１係止片と、前記第２凹部から前記空間部に挿入され前記空間部内で前記ガイド溝の延在方向に沿って移動可能な第２係止片とが設けられ、
前記挿入部の先部で前記第１係止片と第２係止片との間の箇所には、前記第１係止片が前記第１凹部を通って前記空間部に位置し前記第２係止片が第２凹部を通って前記空間部に位置した状態で前記第１凸部寄りの第１凹部の端部に弾接し、かつ、前記空間部で第１係止片および第２係止片が移動し前記第１凸部と第２凸部の下面に位置した状態で前記第１凸部寄りの第２凹部の端部に弾接するばね片が設けられている、
ことを特徴とするアクセサリー。
【００４９】
このような本発明によれば、電子機器側コネクタにアクセサリー側コネクタを装着する際に、アクセサリー側コネクタの第１係止片は第１凹部を通り、第２係止片は第２凹部を通って空間部に位置させたのち、アクセサリー側コネクタの挿入部を前記装着方向に動かすことで第１係止片を第１凸部の下面に位置させ、第２係止片を第２凸部の下面に位置させた状態で電子機器側コネクタの複数の接片にアクセサリー側コネクタの複数の接片が接触する。
このため、アクセサリー側コネクタを電子機器側コネクタに装着するために必要なスペースの前記装着方向の寸法は、前記装着方向に沿ったアクセサリー側コネクタの寸法と、第１、第２係止片の前記装着方向の寸法との和で済むことになる。
したがって、従来のようにアクセサリー側コネクタを電子機器側コネクタの輪郭の外側から装着する場合に比較して電子機器側コネクタの周囲にアクセサリー側コネクタを装着させるための広いスペースを確保する必要がなく、電子機器およびアクセサリーの小型化を図る上で、あるいは、電子機器およびアクセサリーのデザイン性を向上させる上で極めて有利となる。
また、アクセサリー側コネクタを固定するための電子機器側コネクタの第１凸部を、アクセサリー側コネクタのばね片が弾接することでクリック感を発生させる部材として共用したので部品点数の増加を抑制できコストダウンを図る上で有利となる。
【００５０】
また、次のような発明を抽出することができる。
電子機器に設けられ電源用または信号授受用の接片を有する電子機器側コネクタと、前記電子機器に装着されるアクセサリーに設けられ電源用または信号授受用の接片を有するアクセサリー側コネクタとを備えるアクセサリーシュー装置であって、
前記電子機器側コネクタは、同一面上で延在してそれらの縁部が互いに対向する一対の係止板と、前記互いに対向する一対の係止板の縁部の間に前記対向する方向と直交する方向に延在形成されたガイド溝と、各係止板の下面に臨むように設けられた空間部とを備え、
前記互いに対向する係止板の縁部には、前記互いに対向する係止板の縁部が離れる方向に窪む第１凹部と、前記互いに対向する係止板の縁部が近づく方向に突出する第１凸部と、前記互いに対向する係止板の縁部が離れる方向に窪む第２凹部と、前記互いに対向する係止板の縁部が近づく方向に突出する第２凸部とが前記ガイド溝の延在方向にそれらの順番で設けられ、
前記アクセサリー側コネクタは、長さを有しその長さ方向の先部に前記接片が設けられた軸部を備え、
前記軸部の先部の両側には、前記第１凹部から前記空間部に挿入され前記空間部内で前記ガイド溝の延在方向に沿って移動可能な第１係止片と、前記第２凹部から前記空間部に挿入され前記空間部内で前記ガイド溝の延在方向に沿って移動可能な第２係止片とが設けられ、
前記電子機器側コネクタの接片は、前記第1係止片および第２係止片が前記第１凸部と第２凸部の下面に当接した状態で前記アクセサリー側コネクタの接片に接触するように設けられ、
前記軸部の先部が前記ガイド溝に挿入された状態で前記係止板の上方の前記軸部箇所に回転可能に操作リングが設けられ、
前記軸部の両側に前記操作リングの回転操作により前記軸部の長さ方向に移動する締め付けブロックが設けられ、
前記締め付けブロックは、前記第1係止片および第２係止片が前記第１凸部と第２凸部の下面に当接した状態で前記第１凸部と前記第２凸部の上面に当接し前記第１係止片および前記第２係止片と協働して前記第１凸部と前記第２凸部を締め付け固定する締め付け部と、前記第１凸部と第２凸部の間の第２凹部に挿入され前記軸部の前記ガイド溝の延在方向に沿った移動を阻止する移動阻止部とを有する、
ことを特徴とするアクセサリーシュー装置。
上記発明において、前記軸部の先部で前記第１係止片と第２係止片との間の箇所には、前記第１係止片が前記第１凹部を通って前記空間部に位置し前記第２係止片が第２凹部を通って前記空間部に位置した状態で第１凹部内に位置し、前記空間部内で第１係止片および第２係止片が前記第１凸部と第２凸部の下面方向に移動する際に前記第１凸部の先端に弾接し、かつ、前記第１係止片および第２係止片が前記第１凸部と第２凸部の下面に位置した状態で前記第２凹部内に位置するばね片が設けられていることを特徴とする。
上記発明において、前記第１係止片および第２係止片が前記第１凸部と第２凸部の下面に位置した状態で前記ばね片は、前記第１凸部寄りの第２凹部の端部に弾接することを特徴とする。
【００５１】
また、次のような発明を抽出することができる。
電源用または信号授受用の接片を有するアクセサリー側コネクタを備え電子機器の電子機器側コネクタに結合されるアクセサリーであって、
前記電子機器側コネクタは、同一面上で延在してそれらの縁部が互いに対向する一対の係止板と、前記互いに対向する一対の係止板の縁部の間に前記対向する方向と直交する方向に延在形成されたガイド溝と、各係止板の下面に臨むように設けられた空間部とを備え、
前記互いに対向する係止板の縁部には、前記互いに対向する係止板の縁部が離れる方向に窪む第１凹部と、前記互いに対向する係止板の縁部が近づく方向に突出する第１凸部と、前記互いに対向する係止板の縁部が離れる方向に窪む第２凹部と、前記互いに対向する係止板の縁部が近づく方向に突出する第２凸部とが前記ガイド溝の延在方向にそれらの順番で設けられ、
前記アクセサリー側コネクタは、長さを有しその長さ方向の先部に前記接片が設けられた軸部を備え、
前記軸部の先部の両側には、前記第１凹部から前記空間部に挿入され前記空間部内で前記ガイド溝の延在方向に沿って移動可能な第１係止片と、前記第２凹部から前記空間部に挿入され前記空間部内で前記ガイド溝の延在方向に沿って移動可能な第２係止片とが設けられ、
前記クセサリー側コネクタの接片は、前記第1係止片および第２係止片が前記第１凸部と第２凸部の下面に当接した状態で前記電子機器側コネクタの接片に接触するように設けられ、
前記軸部の先部が前記ガイド溝に挿入された状態で前記係止板の上方の前記軸部箇所に回転可能に操作リングが設けられ、
前記軸部の両側に前記操作リングの回転操作により前記軸部の長さ方向に移動する締め付けブロックが設けられ、
前記締め付けブロックは、前記第1係止片および第２係止片が前記第１凸部と第２凸部の下面に当接した状態で前記第１凸部と前記第２凸部の上面に当接し前記第１係止片および前記第２係止片と協働して前記第１凸部と前記第２凸部を締め付け固定する締め付け部と、前記第１凸部と第２凸部の間の第２凹部に挿入され前記軸部の前記ガイド溝の延在方向に沿った移動を阻止する移動阻止部とを有する、
ことを特徴とするアクセサリー。
上記発明において、前記軸部の先部で前記第１係止片と第２係止片との間の箇所には、前記第１係止片が前記第１凹部を通って前記空間部に位置し前記第２係止片が第２凹部を通って前記空間部に位置した状態で第１凹部内に位置し、前記空間部内で第１係止片および第２係止片が前記第１凸部と第２凸部の下面方向に移動する際に前記第１凸部の先端に弾接し、かつ、前記第１係止片および第２係止片が前記第１凸部と第２凸部の下面に位置した状態で前記第２凹部内に位置するばね片が設けられていることを特徴とする。
【００５２】
このような発明によれば、電子機器側コネクタにアクセサリー側コネクタを装着する際に、アクセサリー側コネクタの第１係止片は第１凹部を通り、第２係止片は第２凹部を通って空間部に位置させたのち、アクセサリー側コネクタの軸部を前記装着方向に動かすことで第１係止片を第１凸部の下面に位置させ、第２係止片を第２凸部の下面に位置させた状態で電子機器側コネクタの複数の接片にアクセサリー側コネクタの複数の接片が接触する。
このため、アクセサリー側コネクタを電子機器側コネクタに装着するために必要なスペースの前記装着方向の寸法は、前記装着方向に沿ったアクセサリー側コネクタの寸法と、第１、第２係止片の前記装着方向の寸法との和で済むことになる。
したがって、従来のようにアクセサリー側コネクタを電子機器側コネクタの輪郭の外側から装着する場合に比較して電子機器側コネクタの周囲にアクセサリー側コネクタを装着させるための広いスペースを確保する必要がなく、電子機器およびアクセサリーの小型化を図る上で、あるいは、電子機器およびアクセサリーのデザイン性を向上させる上で極めて有利となる。
また、操作リングを回動させることで、締め付け部が第１凸部と第２凸部の上面に当接し第1係止片および第２係止片と協働して第１凸部と第２凸部を締め付け固定するとともに、移動阻止部が第１凸部と第２凸部の間の第１凹部に挿入され軸部のガイド溝の延在方向に沿った移動を阻止するので、アクセサリー側コネクタを電子機器側コネクタに対して強固に装着することができる。
したがって、ガイド溝の延在方向に沿った外力がアクセサリー側コネクタに加わった場合に、アクセサリー側コネクタが電子機器側コネクタから脱落することを確実に防止する上で有利となる。
【００５３】
なお、上述した各実施の形態では、アクセサリーシュー装置をビデオカメラに適用した場合について例示したが、本発明はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラやフィルム式カメラなどに適用可能であることはもちろんである。
【図面の簡単な説明】
【００５４】
【図１】第１の実施の形態の電子機器を前方から見た斜視図である。
【図２】電子機器に設けられた電子機器側コネクタの斜視図である。
【図３】電子機器側コネクタの説明図である。
【図４】電子機器側コネクタの説明図である。
【図５】アクセサリー機器の斜視図である。
【図６】アクセサリー機器に設けられたアクセサリー側コネクタの斜視図である。
【図７】アクセサリー側コネクタの平面図である。
【図８】図７のＡ矢視図である。
【図９】図７のＢ矢視図である。
【図１０】図８のＣＣ線断面図である。
【図１１】電子機器側コネクタにアクセサリー側コネクタが挿入された状態を示す断面図である。
【図１２】電子機器側コネクタにアクセサリー側コネクタが装着された状態を示す断面図である。
【図１３】第２の実施の形態の電子機器側コネクタの斜視図である。
【図１４】第３の実施の形態の電子機器を前方から見た斜視図である。
【図１５】電子機器に設けられた電子機器側コネクタのカバーが閉塞位置にある状態を示す斜視図である。
【図１６】電子機器に設けられた電子機器側コネクタのカバーが開放位置にある状態を示す斜視図である。
【図１７】電気機側コネクタの構成を示す図であり、（Ａ）は電子機器側コネクタの平面図、（Ｂ）は（Ａ）のＢ矢視図、（Ｃ）は（Ａ）のＣ矢視図、（Ｄ）は（Ａ）のＤ矢視図である。
【図１８】電気機側コネクタの構成を示す図であり、（Ｅ）は図４（Ｄ）のＥ矢視図、（Ｆ）は（Ｅ）のＦＦ線断面図である。
【図１９】アクセサリー機器の斜視図である。
【図２０】アクセサリー機器に設けられたアクセサリー側コネクタの斜視図である。
【図２１】アクセサリー側コネクタの平面図である。
【図２２】図２１のＡ矢視図である。
【図２３】図２１のＢ矢視図である。
【図２４】図２２のＣＣ線断面図である。
【図２５】電子機器側コネクタにアクセサリー側コネクタが挿入された状態を示す断面図である。
【図２６】電子機器側コネクタにアクセサリー側コネクタが装着された状態を示す断面図である。
【図２７】電子機器側コネクタの上方にアクセサリー側コネクタを位置させた状態を示す斜視図である。
【図２８】図２７のＡ矢視図である。
【図２９】電子機器側コネクタにアクセサリー側コネクタが装着された状態を示す斜視図である。
【図３０】図２９のＡ矢視図である。
【図３１】第４の実施の形態のアクセサリー機器の構成を示す図であり、（Ａ）は実施例２のアクセサリーの正面図、（Ｂ）は（Ａ）のＢ矢視図、（Ｃ）は（Ａ）のＣ矢視図、（Ｄ）は（Ａ）のＤ矢視図である。
【図３２】第４の実施の形態のアクセサリー機器の構成を示す図であり、（Ｅ）は図１８（Ａ）のＥ矢視図、（Ｆ）は（Ｅ）のＦ矢視図である。
【図３３】第５の実施の形態のアクセサリー機器の構成を示す図であり、（Ａ）は実施例３のアクセサリーの正面図、（Ｂ）は（Ａ）のＢ矢視図、（Ｃ）は（Ａ）のＣ矢視図、（Ｄ）は（Ａ）のＤ矢視図である。
【図３４】第５の実施の形態のアクセサリーの構成を示す図であり、（Ｅ）は図２０（Ａ）のＥ矢視図、（Ｆ）は（Ｅ）のＦ矢視図である。
【図３５】第６の実施の形態のアクセサリー機器の構成を示す図であり、（Ａ）は実施例４のアクセサリーの正面図、（Ｂ）は（Ａ）のＢ矢視図、（Ｃ）は（Ａ）のＣ矢視図である。
【図３６】第６の実施の形態のアクセサリー機器の構成を示す図であり、（Ｄ）は図２２（Ｃ）のＤ矢視図、（Ｅ）は図２３（Ｃ）のＥ矢視図である。
【符号の説明】
【００５５】
１００……電子機器、２００……アクセサリー機器、１０……電子機器側コネクタ、１６……接片、１８……ガイド溝、２０……係止板、２２……空間部、２００２……第１凹部、２００４……第１凸部、２００６……第２凹部、２００８……第２凸部、４０……アクセサリー側コネクタ、４４……締め付けリング、操作リング、４８……接点、５０……挿入部、軸部、５００２……第１係止片、５００４……第２係止片、７０……締め付けブロック、７００４……締め付け部、７００６……移動阻止部。
【図１】
2006079053.tif 000003
【図２】
2006079053.tif 000004
【図３】
2006079053.tif 000005
【図４】
2006079053.tif 000006
【図５】
2006079053.tif 000007
【図６】
2006079053.tif 000008
【図７】
2006079053.tif 000009
【図８】
2006079053.tif 000010
【図９】
2006079053.tif 000011
【図１０】
2006079053.tif 000012
【図１１】
2006079053.tif 000013
【図１２】
2006079053.tif 000014
【図１３】
2006079053.tif 000015
【図１４】
2006079053.tif 000016
【図１５】
2006079053.tif 000017
【図１６】
2006079053.tif 000018
【図１７】
2006079053.tif 000019
【図１８】
2006079053.tif 000020
【図１９】
2006079053.tif 000021
【図２０】
2006079053.tif 000022
【図２１】
2006079053.tif 000023
【図２２】
2006079053.tif 000024
【図２３】
2006079053.tif 000025
【図２４】
2006079053.tif 000026
【図２５】
2006079053.tif 000027
【図２６】
2006079053.tif 000028
【図２７】
2006079053.tif 000029
【図２８】
2006079053.tif 000030
【図２９】
2006079053.tif 000031
【図３０】
2006079053.tif 000032
【図３１】
2006079053.tif 000033
【図３２】
2006079053.tif 000034
【図３３】
2006079053.tif 000035
【図３４】
2006079053.tif 000036
【図３５】
2006079053.tif 000037
【図３６】
2006079053.tif 000038